(57)【要約】  使用者の頭部の表面にわたって適合する自転車用ヘルメットが、折り畳み状態と拡張状態との間で移動可能な径方向のハニカム母体を形成する柔軟なセル構造の少なくとも1つの区分であって、折り畳み状態では、少なくとも1つの区分の各々の側部が概して平行に配置され、拡張状態では、少なくとも1つの区分の径方向のハニカム母体は、使用者の頭部にわたって少なくとも部分的に拡張され、使用者の頭部の表面に対して径方向に配置されるように構成される、少なくとも1つの区分を概して備える。
2019526722.tif 000002
【特許請求の範囲】
【請求項１】
使用者の頭部の表面にわたって適合する自転車用ヘルメットであって、
折り畳み状態と拡張状態との間で移動可能な径方向のハニカム母体を形成する柔軟なセル構造の少なくとも1つの区分であって、前記折り畳み状態では、前記少なくとも1つの区分の各々の側部が概して平行に配置され、前記拡張状態では、前記少なくとも1つの区分の前記径方向のハニカム母体は、前記使用者の前記頭部にわたって少なくとも部分的に拡張され、前記使用者の前記頭部の前記表面に対して径方向に配置されるように構成される、少なくとも1つの区分を備える自転車用ヘルメット。
【請求項２】
柔軟な材料の前記少なくとも1つの区分の少なくとも1つの側部に連結される顎紐組立体をさらに備える、請求項1に記載の自転車用ヘルメット。
【請求項３】
前記少なくとも1つの区分は2つの側方区分の間に中間区分を備え、前記2つの側方区分は、前記側方区分の各々の側部が概して平行に配置される前記折り畳み状態から移動可能で、前記中間区分と前記側方区分とが、拡張され、協働して前記使用者の前記頭部にわたって少なくなくとも部分的に配置され、前記使用者の前記頭部の前記表面に対して径方向に配置される拡張状態から移動可能な前記径方向のハニカム母体を形成する柔軟なセル構造を各々備える、請求項1に記載の自転車用ヘルメット。
【請求項４】
前記少なくとも1つの区分の前記径方向のハニカム母体の前記柔軟なセル構造は、前記使用者の前記頭部の前記表面の一部分に隣接して位置付けられ、前記一部分に対して概して垂直に位置決めされるように各々構成される、請求項1に記載の自転車用ヘルメット。
【請求項５】
前記少なくとも1つの区分に連結される少なくとも1つの紐を有する顎紐機構をさらに備え、前記顎紐機構は、前記使用者の前記頭部の周りで解除可能に結合されるように構成される、請求項1に記載の自転車用ヘルメット。
【請求項６】
携帯装置、自動販売所、近接検出装置、およびコンピュータのうちの1つと無線ネットワークを介して接続するように構成されるヘルメット位置指示機構をさらに備える、請求項1に記載の自転車用ヘルメット。
【請求項７】
前記少なくとも1つの区分は2つの側方区分の間に中間区分を備え、前記2つの側方区分は、前記側方区分の各々の側部が概して平行に配置される前記折り畳み状態から移動可能で、前記中間区分と前記側方区分とが、拡張され、前記使用者の前記頭部にわたって少なくなくとも部分的に配置されるように構成される内湾曲から前記自転車用ヘルメットの反対側にある前記自転車用ヘルメットの外湾曲を協働して形成する前記拡張状態から移動可能な前記径方向のハニカム母体を形成する柔軟なセル構造を各々備え、前記拡張状態における前記径方向のハニカム母体の前記柔軟なセル構造は、前記使用者の前記頭部にわたって配置されるように構成される前記内湾曲に対して垂直である方向において径方向で各々配置される、請求項1に記載の自転車用ヘルメット。
【請求項８】
前記自転車用ヘルメットにわたって位置決めされ、前記拡張状態へと移動するときに前記ハニカム母体の拡張の量を制限するように構成される少なくとも1つの紐をさらに備える、請求項1に記載の自転車用ヘルメット。
【請求項９】
柔軟な材料の前記少なくとも1つの区分の前記少なくとも1つの側部に連結される顎紐組立体をさらに備え、前記顎紐組立体の一部分は、前記自転車用ヘルメットにわたって位置決めされる前記少なくとも1つの紐を備える、請求項8に記載の自転車用ヘルメット。
【請求項１０】
前記顎紐組立体の一部分は、前記自転車用ヘルメットにわたって位置決めされる前記少なくとも1つの紐と同じ材料から作られる、請求項9に記載の自転車用ヘルメット。
【請求項１１】
前記ハニカム母体は、前記ハニカム母体のセルを形成するために配置される複数の壁を備え、前記複数の壁のうちの第1の部分が前記自転車用ヘルメットの前部から前記自転車用ヘルメットの後部まで延び、前記複数の壁のうちの第2の部分が、前記自転車用ヘルメットの中心位置から前記自転車用ヘルメットの前記前部および前記後部に向けてある程度で延びることで、前記自転車用ヘルメットの前記前部および前記後部から遠位にある前記中心位置に対して、前記自転車用ヘルメットの前記前部および前記後部に近接するセルの数の低減をもたらす、請求項1に記載の自転車用ヘルメット。
【請求項１２】
前記自転車用ヘルメットに接続され、携帯装置、自動販売所、近接検出装置、およびコンピュータのうちの1つと無線ネットワークを介して接続するように構成されるヘルメット位置指示機構と、前記ヘルメット位置指示機構を検出することによってヘルメットの在庫および販売の少なくとも一部分を処理する在庫制御施設とをさらに備える、請求項1に記載の自転車用ヘルメット。
【請求項１３】
前記自転車用ヘルメットがその拡張状態へと開かれたことを指示する、前記自転車用ヘルメットに連結される表示機構をさらに備える、請求項1に記載の自転車用ヘルメット。
【請求項１４】
前記自転車用ヘルメットがその拡張状態へと開かれるときに照明を入れるように構成される、前記自転車用ヘルメットに連結される少なくとも1つの光機構をさらに備える、請求項1に記載の自転車用ヘルメット。
【請求項１５】
前記自転車用ヘルメットに連結される前記少なくとも1つの光機構は、前記自転車用ヘルメットがその拡張状態へと開かれるときに照明を入れるように構成される表示機構であり、前記自転車用ヘルメットが使用されたことを指示する、請求項14に記載の自転車用ヘルメット。
【請求項１６】
その拡張状態にある前記少なくとも1つの区分は、前記少なくとも1つの区分の外湾曲を定める外表面において、宣伝、図形、および文字のうちの1つの一部分を表示するように構成される、請求項1に記載の自転車用ヘルメット。
【請求項１７】
その折り畳み状態にある前記少なくとも1つの区分は、前記少なくとも1つの区分の前記外湾曲を定める前記外表面において、宣伝、図形、および文字のうちの1つの前記一部分の視認性を低減するように構成され、前記少なくとも1つの区分が前記折り畳み状態から前記拡張状態まで移動するとき、宣伝、図形、および文字のうちの1つの前記一部分を前記外表面において見せるように構成される、請求項16に記載の自転車用ヘルメット。
【請求項１８】
使用者の頭部にわたって適合する自転車用ヘルメットであって、
折り畳み状態および拡張状態から移動可能なハニカム母体であって、前記折り畳み状態では、前記ハニカム母体は潰されており、前記拡張状態では、前記ハニカム母体は拡張され、前記使用者の前記頭部にわたって少なくとも部分的に配置され、前記使用者の前記頭部の表面に対して径方向に配置される、ハニカム母体と、
前記拡張状態における前記ハニカム母体の拡張の量を制限するように構成される少なくとも1つの紐と
を備える自転車用ヘルメット。
【請求項１９】
拡張の前記量を制限するように構成される前記少なくとも1つの紐は、前記自転車用ヘルメットが前記拡張状態で配置されるとき、前記ハニカム母体の外表面にわたって配置される、請求項18に記載の自転車用ヘルメット。
【請求項２０】
拡張の前記量を制限するように構成される前記少なくとも1つの紐は、前記ハニカム母体が前記折り畳み状態にあるとき、寄せ集まるか、折り畳まるか、または螺旋状になるかの1つになるように構成される、請求項18に記載の自転車用ヘルメット。
【請求項２１】
前記ハニカム母体の外壁の紐付着領域に、前記ハニカム母体の拡張の量を制限するように構成される前記少なくとも1つの紐の一部分で付着させられる少なくとも1つの紐を有する顎紐機構をさらに備える、請求項18に記載の自転車用ヘルメット。
【請求項２２】
前記ハニカム母体が前記拡張状態にあるとき、前記ハニカム母体は、前記ハニカム母体の拡張の量を制限するように構成される前記少なくとも1つの紐の少なくとも一部分を受け入れるように構成される凹部を定める、請求項18に記載の自転車用ヘルメット。
【請求項２３】
使用者の頭部にわたって適合する自転車用ヘルメットであって、
折り畳み状態と拡張状態との間で移動可能なハニカム母体であって、前記折り畳み状態では、ハニカムは開かれておらず、前記拡張状態では、前記ハニカム母体は開かれ、前記使用者の前記頭部にわたって少なくとも部分的に配置されるハニカム母体を備え、前記ハニカム母体は、前記拡張状態にあるときに前記使用者の前記頭部の表面に対して概して垂直である位置に配置される複数のセルを備え、前記ハニカム母体は、前記自転車用ヘルメットの前部および後部から遠位にある中心位置に対して、前記自転車用ヘルメットの前記前部および前記後部に近接する低減した数のセルを備える、自転車用ヘルメット。
【請求項２４】
前記ハニカム母体は、各々が互いと径方向で並べられるセルを備える前記複数のセルを備える、請求項23に記載の自転車用ヘルメット。
【請求項２５】
前記ハニカム母体にわたって位置決めされ、前記拡張状態へと移動するときに前記ハニカム母体の拡張の量を制限するように構成される少なくとも1つの紐をさらに備える、請求項23に記載の自転車用ヘルメット。
【請求項２６】
前記ハニカム母体の外壁に連結される顎紐組立体をさらに備え、前記顎紐組立体の一部分は、前記ハニカム母体にわたって位置決めされる前記少なくとも1つの紐を備える、請求項25に記載の自転車用ヘルメット。
【請求項２７】
前記顎紐組立体の一部分は、前記ハニカム母体にわたって位置決めされる前記少なくとも1つの紐と同じ材料から作られる、請求項26に記載の自転車用ヘルメット。
【請求項２８】
前記自転車用ヘルメットがその拡張状態へと開かれるときに照明を入れるように構成される、前記自転車用ヘルメットに連結される少なくとも1つの光機構をさらに備える、請求項23に記載の自転車用ヘルメット。
【請求項２９】
2つの側方区分の間の中間区分は、前記側方区分の各々の側部が概して平行に配置される前記折り畳み状態から移動可能で、前記中間区分と前記側方区分とが、拡張され、前記使用者の前記頭部にわたって少なくなくとも部分的に配置されるように構成される内湾曲から前記自転車用ヘルメットの反対側にある前記自転車用ヘルメットの外湾曲を協働して形成する拡張状態から移動可能な前記ハニカム母体を形成する複数のセルを各々備える、請求項23に記載の自転車用ヘルメット。
【請求項３０】
その拡張状態にある前記ハニカム母体は、前記自転車用ヘルメットの外湾曲を定める外表面において、宣伝、図形、および文字のうちの1つの一部分を表示するように構成される、請求項23に記載の自転車用ヘルメット。
【請求項３１】
その折り畳み状態にある前記ハニカム母体は、前記自転車用ヘルメットの前記外湾曲を定める前記外表面において、宣伝、図形、および文字のうちの1つの前記一部分の視認性を低減するように構成され、前記ハニカム母体が前記折り畳み状態から前記拡張状態まで移動するとき、宣伝、図形、および文字のうちの1つの前記一部分を前記外表面において見せるように構成される、請求項30に記載の自転車用ヘルメット。
【請求項３２】
自転車の使用者の頭部を衝撃から保護するための方法であって、
折り畳み状態から拡張状態へと移動可能なハニカム母体を形成する柔軟なセル構造の少なくとも1つの区分を拡張するステップであって、前記折り畳み状態では、前記少なくとも1つの区分の各々の側部が概して平行に配置され、前記拡張状態では、前記ハニカム母体は前記使用者の前記頭部にわたって少なくとも部分的に配置される拡張するステップを含み、前記少なくとも1つの区分の前記ハニカム母体の前記セル構造は、前記拡張状態にあるとき、乗り手の頭部の表面に対して概して垂直である位置において配置される、方法。
【請求項３３】
前記使用者の前記頭部における顎の下で顎紐機構を閉じるステップをさらに含む、請求項32に記載の方法。
【請求項３４】
携帯装置、自動販売所、近接検出装置、およびコンピュータのうちの1つと無線ネットワークを介して接続するように構成される自転車用ヘルメットにおける機構から、前記自転車用ヘルメットの場所を信号で送るステップをさらに含む、請求項32に記載の方法。
【請求項３５】
前記拡張の量を制限するように構成される、自転車用ヘルメットにわたって位置決めされる少なくとも1つの紐で、前記拡張状態へと移動するときに前記ハニカム母体の拡張を制限するステップをさらに含む、請求項32に記載の方法。
【請求項３６】
自転車用ヘルメットがその拡張状態へと開かれたことを、前記自転車用ヘルメットに連結される表示機構で指示するステップをさらに含む、請求項32に記載の方法。
【請求項３７】
自転車用ヘルメットがその拡張状態へと開かれるときに照明を入れるように構成される少なくとも1つの光機構で前記自転車用ヘルメットから照明を提供するステップをさらに含む、請求項32に記載の方法。
【請求項３８】
その拡張状態にある前記少なくとも1つの区分は、前記少なくとも1つの区分の前記ハニカム母体の外湾曲を定める外表面において、宣伝、図形、および文字のうちの1つの一部分を表示するように構成される、請求項32に記載の方法。
【請求項３９】
その折り畳み状態にある前記少なくとも1つの区分は、前記少なくとも1つの区分の前記ハニカム母体の前記外湾曲を定める前記外表面において、宣伝、図形、および文字のうちの1つの前記一部分の視認性を低減するように構成され、前記少なくとも1つの区分が前記折り畳み状態から前記拡張状態まで移動するとき、宣伝、図形、および文字のうちの1つの前記一部分を前記外表面において見せるように構成される、請求項38に記載の方法。
【発明の詳細な説明】
【技術分野】
【０００１】
関連出願への相互参照
本出願は、EcoHelmetの名称で2016年9月13日に出願された米国仮出願第62/393,911号、Bicycle Helmetの名称で2016年10月31日に出願された米国仮出願第62/415,057号、および、Bicycle Helmetの名称で2017年2月14日に出願された米国仮出願第62/458,767号の便益を主張する。上記の出願は、本明細書においてそれらの全体において完全に述べられているかのように、本明細書によって参照により組み込まれている。
【０００２】
本出願は、2017年8月2日に出願された米国意匠出願第29/612,613号に関連しており、この出願は、2017年2月14日に出願された米国意匠出願第29/593,908号の一部継続出願であり、この出願は、2016年10月31日に出願された米国意匠出願第29/582,807号の一部継続出願である。上記の意匠出願は、本明細書においてそれらの全体において完全に述べられているかのように、本明細書によって参照により組み込まれている。
【０００３】
本開示は、潰れた折り畳み状態から、自転車に乗車している間の頭部保護を提供する拡張状態へと、使用者の頭部にわたって拡張され得る径方向に並べられたハニカム母体を有する折り畳み自転車用ヘルメットに関する。
【背景技術】
【０００４】
典型的には、ヘルメットは嵩張り、特に着用されていないときに不便である。着用されていないとき、ヘルメットは、自転車とともに放置されて、環境からの潜在的な損傷の可能性に曝され、または、特に自転車に係止されていない場合には安全上の危険に曝される可能性がある。着用されていないとき、ヘルメットは使用者と共に持っていくことも可能であるが、通常はヘルメットを保管する便利な方法がなく、放置されてしまう。適切にヘルメットは着用していると、万一の自転車事故の場合に頭部の怪我を85%まで減らすことが示され得る。自転車シェアプログラムの状況では、使用者は、自身のヘルメットを持ってくるか、特に自転車レンタルのために購入するか、またはヘルメットを賃借するかのいずれかが必要とされる。このような自転車シェアプログラムでは、使用者のうちの約10%だけがヘルメットを着用する。したがって、発明者は、向上した自転車用ヘルメットの容易な自動販売、運搬、展開を自転車の販売、レンタル、および使用のエコシステムを通じて可能にするための向上した自転車用ヘルメットを提供するために、向上した方法、システム、製品、および構成要素に対する要求を認識していた。
【発明の概要】
【課題を解決するための手段】
【０００５】
本開示の多くの実施形態は、頭部保護が望ましい自転車または他の例での使用のためのヘルメットを含む。ヘルメットは、使用していないとき、潰れ得る、または、縮小した大きさに折り畳まり得る。ここで提供されているのは、自転車および自転車シェアリングプログラムのためのエコシステムにおける包装、保安性、安全性、追跡、適合性、および品質を可能にするための、向上した自転車用ヘルメット、その付属品、および、様々な情報技術能力のためのホストシステムを含む、向上した方法、システム、製品、および構成要素(これらすべては、文脈が他を指示している場合を除いて、代替で「プラットフォーム」または「解決策」として集合的に言及される)である。
【０００６】
本開示の多くの実施形態は、使用者の頭部にわたって適合する自転車用ヘルメットを含む。自転車用ヘルメットは、折り畳み状態および拡張状態から移動可能なハニカム母体を形成する柔軟な材料の少なくとも1つの区分を備え、折り畳み状態では、少なくとも1つの区分の各々の側部が概して平行に配置され、拡張状態では、ハニカム母体が拡張され、使用者の頭部にわたって少なくとも部分的に配置される。ハニカム母体のセルが、使用者の頭部の表面に対して垂直である方向において径方向で配向される。
【０００７】
本開示の多くの実施形態は、柔軟な材料の少なくとも1つの区分の少なくとも1つの側部に連結される顎紐も備える自転車用ヘルメットを含む。
【０００８】
本開示の多くの実施形態は、柔軟な材料の2つの側方区分の間に柔軟な材料の中間区分を備える少なくとも1つの区分を伴う自転車用ヘルメットを含み、中間区分と側方区分とは、側方区分の各々の側部が概して平行に配置される折り畳み状態から各々移動可能で、中間区分および側方区分が、拡張され、協働して使用者の頭部にわたって少なくとも部分的に配置される拡張状態から各々移動可能である。
【０００９】
本開示の多くの実施形態は、拡張状態にあるときに使用者の頭部の表面に対して概して垂直である位置に配置される複数のセルを含む少なくとも1つの区分のハニカム母体を伴う自転車用ヘルメットを含む。
【００１０】
実施形態では、使用者の頭部の表面にわたって適合する自転車用ヘルメットが、折り畳み状態と拡張状態との間で移動可能な径方向のハニカム母体を形成する柔軟なセル構造の少なくとも1つの区分であって、折り畳み状態では、少なくとも1つの区分の各々の側部が概して平行に配置され、拡張状態では、少なくとも1つの区分の径方向のハニカム母体は、使用者の頭部にわたって少なくとも部分的に拡張され、使用者の頭部の表面に対して径方向に配置されるように構成される、少なくとも1つの区分を備える。
【００１１】
実施形態では、自転車用ヘルメットは、柔軟な材料の少なくとも1つの区分の少なくとも1つの側部に連結される顎紐組立体を備える。
【００１２】
実施形態では、少なくとも1つの区分は2つの側方区分の間に中間区分を備え、2つの側方区分は、側方区分の各々の側部が概して平行に配置される折り畳み状態から移動可能で、中間区分と側方区分とが、拡張され、協働して使用者の頭部にわたって少なくなくとも部分的に配置され、使用者の頭部の表面に対して径方向に配置される拡張状態から移動可能な径方向のハニカム母体を形成する柔軟なセル構造を各々備える。
【００１３】
実施形態では、少なくとも1つの区分の径方向のハニカム母体の柔軟なセル構造は、使用者の頭部の表面の一部分に隣接して位置付けられ、その一部分に対して概して垂直に位置決めされるように各々構成される。
【００１４】
実施形態では、自転車用ヘルメットは、少なくとも1つの区分に連結される少なくとも1つの紐を有する顎紐機構を備える。実施形態では、顎紐機構は、使用者の頭部の周りで解除可能に結合されるように構成される。
【００１５】
実施形態では、自転車用ヘルメットは、携帯装置、自動販売所、近接検出装置、およびコンピュータのうちの1つと無線ネットワークを介して接続するように構成されるヘルメット位置指示機構を備える。
【００１６】
実施形態では、少なくとも1つの区分は2つの側方区分の間に中間区分を備え、2つの側方区分は、側方区分の各々の側部が概して平行に配置される折り畳み状態から移動可能で、中間区分と側方区分とが、拡張され、使用者の頭部にわたって少なくなくとも部分的に配置されるように構成される内湾曲から自転車用ヘルメットの反対側にあるヘルメットの外湾曲を協働して形成する拡張状態から移動可能な径方向のハニカム母体を形成する柔軟なセル構造を各々備える。拡張状態における径方向のハニカム母体の柔軟なセル構造は、使用者の頭部にわたって配置されるように構成される内湾曲に対して垂直である方向において径方向で各々配置される。
【００１７】
実施形態では、自転車用ヘルメットは、ヘルメットにわたって位置決めされ、拡張状態へと移動するときにハニカム母体の拡張の量を制限するように構成される少なくとも1つの紐を備える。
【００１８】
実施形態では、自転車用ヘルメットは、柔軟な材料の少なくとも1つの区分の少なくとも1つの側部に連結される顎紐組立体を備える。実施形態では、顎紐組立体の一部分は、ヘルメットにわたって位置決めされる少なくとも1つの紐を備える。
【００１９】
実施形態では、顎紐組立体の一部分は、ヘルメットにわたって位置決めされる少なくとも1つの紐と同じ材料から作られる。
【００２０】
実施形態では、ハニカム母体は、ハニカム母体のセルを形成するために配置される複数の壁を備える。複数の壁のうちの第1の部分がヘルメットの前部からヘルメットの後部まで延び、複数の壁のうちの第2の部分が、ヘルメットの中心位置からヘルメットの前部および後部に向けてある程度で延びることで、ヘルメットの前部および後部から遠位にある中心位置に対して、ヘルメットの前部および後部に近接するセルの数の低減をもたらす。
【００２１】
実施形態では、自転車用ヘルメットは、自転車用ヘルメットに接続され、携帯装置、自動販売所、近接検出装置、およびコンピュータのうちの1つと無線ネットワークを介して接続するように構成されるヘルメット位置指示機構を備える。実施形態では、在庫制御施設が、ヘルメット位置指示機構を検出することによってヘルメットの在庫および販売の少なくとも一部分を処理する。
【００２２】
実施形態では、自転車用ヘルメットが、自転車用ヘルメットがその拡張状態へと開かれたことを指示する、自転車用ヘルメットに連結される表示機構を備える。
【００２３】
実施形態では、自転車用ヘルメットがその拡張状態へと開かれるときに照明を入れるように構成される、自転車用ヘルメットに連結される少なくとも1つの光機構を備える。
【００２４】
実施形態では、自転車用ヘルメットに連結される少なくとも1つの光機構は、自転車用ヘルメットがその拡張状態へと開かれるときに照明を入れるように構成される表示機構であり、自転車用ヘルメットが使用されたことを指示する。
【００２５】
実施形態では、その拡張状態にある少なくとも1つの区分は、自転車用ヘルメットの少なくとも1つの区分の外湾曲を定める外表面において、宣伝、図形、および文字のうちの1つの一部分を表示するように構成される。
【００２６】
実施形態では、その折り畳み状態にある少なくとも1つの区分は、自転車用ヘルメットの少なくとも1つの区分の外湾曲を定める外表面において、宣伝、図形、および文字のうちの1つの一部分の視認性を低減するように構成され、自転車用ヘルメットの少なくとも1つの区分が折り畳み状態から拡張状態まで移動するとき、宣伝、図形、および文字のうちの1つの一部分を外表面において見せるように構成される。
【００２７】
実施形態では、使用者の頭部にわたって適合する自転車用ヘルメットは、折り畳み状態および拡張状態から移動可能なハニカム母体を備え、折り畳み状態では、ハニカム母体は潰されており、拡張状態では、ハニカム母体は拡張され、使用者の頭部にわたって少なくとも部分的に配置され、使用者の頭部の表面に対して径方向に配置される。自転車用ヘルメットは、拡張状態におけるハニカム母体の拡張の量を制限するように構成される少なくとも1つの紐も備える。
【００２８】
実施形態では、拡張の量を制限するように構成される少なくとも1つの紐は、ヘルメットが拡張状態で配置されるとき、ハニカム母体の外表面にわたって配置される。
【００２９】
実施形態では、自転車用ヘルメットは、拡張の量を制限するように構成され、ハニカム母体が折り畳み状態にあるとき、寄せ集まるか、折り畳まるか、または螺旋状になるかの1つになるように構成される少なくとも1つの紐を備える。
【００３０】
実施形態では、自転車用ヘルメットは、ハニカム母体の外壁の紐付着領域に、ハニカム母体の拡張の量を制限するように構成される少なくとも1つの紐の一部分で付着させられる少なくとも1つの紐を有する顎紐機構を備える。
【００３１】
実施形態では、ハニカム母体が拡張状態にあるとき、ハニカム母体は、ハニカム母体の拡張の量を制限するように構成される少なくとも1つの紐の少なくとも一部分を受け入れるように構成される凹部を定める。
【００３２】
実施形態では、使用者の頭部にわたって適合する自転車用ヘルメットは、折り畳み状態と拡張状態との間で移動可能なハニカム母体を備え、折り畳み状態では、ハニカムは開かれておらず、拡張状態では、ハニカム母体は開かれ、使用者の頭部にわたって少なくとも部分的に配置される。ハニカム母体は、拡張状態にあるときに使用者の頭部の表面に対して概して垂直である位置に配置される複数のセルを備える。ハニカム母体は、ヘルメットの前部および後部から遠位にある中心位置に対して、ヘルメットの前部および後部に近接する低減した数のセルを備える。
【００３３】
実施形態では、ハニカム母体は、各々が互いと径方向で並べられるセルを備える複数のセルを備える。
【００３４】
実施形態では、自転車用ヘルメットは、ハニカム母体にわたって位置決めされ、拡張状態へと移動するときにハニカム母体の拡張の量を制限するように構成される少なくとも1つの紐を備える。
【００３５】
実施形態では、自転車用ヘルメットは、ハニカム母体の外壁に連結される顎紐組立体を備える。実施形態では、顎紐組立体の一部分は、ハニカム母体にわたって位置決めされる少なくとも1つの紐を備える。
【００３６】
実施形態では、顎紐組立体の一部分は、ハニカム母体にわたって位置決めされる少なくとも1つの紐と同じ材料から作られる。
【００３７】
実施形態では、自転車用ヘルメットがその拡張状態へと開かれるときに照明を入れるように構成される、自転車用ヘルメットに連結される少なくとも1つの光機構を備える。
【００３８】
実施形態では、2つの側方区分の間の中間区分は、側方区分の各々の側部が概して平行に配置される折り畳み状態から移動可能で、中間区分と側方区分とが、拡張され、協働して、使用者の頭部にわたって少なくなくとも部分的に配置されるように構成される内湾曲からヘルメットの反対側にある自転車用ヘルメットの外湾曲を形成する拡張状態から移動可能なハニカム母体を形成する複数のセルを各々備える。
【００３９】
実施形態では、その拡張状態にあるハニカム母体は、自転車用ヘルメットの外湾曲を定める外表面において、宣伝、図形、および文字のうちの1つの一部分を表示するように構成される。実施形態では、その折り畳み状態にあるハニカム母体は、自転車用ヘルメットの外湾曲を定める外表面において、宣伝、図形、および文字のうちの1つの一部分の視認性を低減するように構成され、ハニカム母体が折り畳み状態から拡張状態まで移動するとき、宣伝、図形、および文字のうちの1つの一部分を外表面において見せるように構成される。
【００４０】
実施形態では、自転車の使用者の頭部を衝撃から保護するための方法が、折り畳み状態から拡張状態へと移動可能なハニカム母体を形成する柔軟なセル構造の少なくとも1つの区分を拡張するステップであって、折り畳み状態では、少なくとも1つの区分の各々の側部が概して平行に配置され、拡張状態では、ハニカム母体は使用者の頭部にわたって少なくとも部分的に配置される、拡張するステップを含む。実施形態では、少なくとも1つの区分のハニカム母体のセル構造は、拡張状態にあるとき、乗り手の頭部の表面に対して概して垂直である位置において配置される。
【００４１】
実施形態では、方法は、使用者の頭部における顎の下で顎紐機構を閉じるステップを含む。
【００４２】
実施形態では、方法は、携帯装置、自動販売所、近接検出装置、およびコンピュータのうちの1つと無線ネットワークを介して接続するように構成される自転車用ヘルメットにおける機構から、自転車用ヘルメットの位置を信号で送るステップを含む。
【００４３】
実施形態では、方法は、拡張の量を制限するように構成される、ヘルメットにわたって位置決めされる少なくとも1つの紐で、拡張状態へと移動するときにハニカム母体の拡張を制限するステップを含む。
【００４４】
実施形態では、方法は、自転車用ヘルメットがその拡張状態へと開かれたことを、自転車用ヘルメットに連結される表示機構で指示するステップを含む。
【００４５】
実施形態では、方法は、自転車用ヘルメットがその拡張状態へと開かれるときに照明を入れるように構成される少なくとも1つの光機構で自転車用ヘルメットから照明を提供するステップを含む。
【００４６】
添付の図面は以下のものを含んでいる。
【図面の簡単な説明】
【００４７】
【図１】本開示による自転車シェアリングのヘルメット自動販売環境における利用可能性を含む、環境へと展開された自転車用ヘルメットの略図である。
【図２】本開示によるその潰れた状態または折り畳み状態から自転車用ヘルメットを拡張する使用者の略図である。
【図３】図2の自転車用ヘルメットをさらに拡張する使用者の略図である。
【図４】図3の拡張されたヘルメットの顎紐を締め付けている使用者の略図である。
【図５】本開示による使用可能状態または拡張状態における自転車用ヘルメットの上からの斜視図である。
【図６】図5の自転車用ヘルメットの下からの斜視図である。
【図７】図5の自転車用ヘルメットの前面図である。
【図８】図5の自転車用ヘルメットの右側面図である。
【図９】図5の自転車用ヘルメットの後面図である。
【図１０】図5の自転車用ヘルメットの左側面図である。
【図１１】図5の自転車用ヘルメットの上面図である。
【図１２】図5の自転車用ヘルメットの下面図である。
【図１３】本開示による潰れた状態または折り畳み状態における自転車用ヘルメットの上からの斜視図である。
【図１４】図13の自転車用ヘルメットの下からの斜視図である。
【図１５】図13の自転車用ヘルメットの前面図である。
【図１６】図13の自転車用ヘルメットの後面図である。
【図１７】図13の自転車用ヘルメットの右側面図である。
【図１８】図13の自転車用ヘルメットの左側面図である。
【図１９】図13の自転車用ヘルメットの上面図である。
【図２０】図13の自転車用ヘルメットの下面図である。
【図２１】本開示による使用可能状態または拡張状態において開かれた自転車用ヘルメットにわたる紐を伴う自転車用ヘルメットの上からの斜視図である。
【図２２】図21の自転車用ヘルメットの下からの斜視図である。
【図２３】図21の自転車用ヘルメットの前面図である。
【図２４】図21の自転車用ヘルメットの右側面図である。
【図２５】図21の自転車用ヘルメットの後面図である。
【図２６】図21の自転車用ヘルメットの左側面図である。
【図２７】図21の自転車用ヘルメットの上面図である。
【図２８】図21の自転車用ヘルメットの下面図である。
【図２９】本開示による潰れた状態または折り畳み状態において自転車用ヘルメットにわたる紐を伴う自転車用ヘルメットの上からの斜視図である。
【図３０】図29の自転車用ヘルメットの下からの斜視図である。
【図３１】図29の自転車用ヘルメットの前面図である。
【図３２】図29の自転車用ヘルメットの後面図である。
【図３３】図29の自転車用ヘルメットの右側面図である。
【図３４】図29の自転車用ヘルメットの左側面図である。
【図３５】図29の自転車用ヘルメットの上面図である。
【図３６】図29の自転車用ヘルメットの下面図である。
【図３７】顎条片を定め、本開示による単一構造を形成する自転車用ヘルメットにわたって続く紐を有する自転車用ヘルメットの実施形態の略図である。
【図３８】本開示による自転車用ヘルメットへと凹まされた領域においてヘルメットにわたる紐を伴う自転車用ヘルメットの実施形態の略図である。
【図３９】本開示による潰れた状態または折り畳み状態における自転車用ヘルメットの実施形態の略図である。
【図４０】本開示による潰れた状態または折り畳み状態における自転車用ヘルメットの実施形態の略図である。
【図４１】本開示による自転車用ヘルメットの自動販売、追跡、受領、再利用、使用、および同様のものを含むエコシステムにおける自転車用ヘルメットの実施形態の略図である。
【図４２】本開示による自転車用ヘルメットの自動販売、追跡、受領、再利用、使用、および同様のものを含むエコシステムにおける自転車用ヘルメットの実施形態の略図である。
【図４３】本開示による自転車用ヘルメットの自動販売、追跡、受領、再利用、使用、および同様のものを含むエコシステムにおける自転車用ヘルメットの実施形態の略図である。
【図４４】本開示による、使用者の頭部の表面に沿う位置に対して異なる形を有するハニカム母体のセル構造を伴う自転車用ヘルメットの実施形態の略図である。
【図４５】本開示による、使用者の頭部の表面に沿う位置に対して異なる形を有するハニカム母体のセル構造を伴う自転車用ヘルメットの実施形態の略図である。
【図４６】本開示による、使用者の頭部の表面に沿う位置に対して異なる形を有するハニカム母体のセル構造を伴う自転車用ヘルメットの実施形態の略図である。
【図４７】本開示による、使用者の頭部の外表面に対して垂直である方向におけるハニカム母体の径方向に並べられたセル構造を伴う自転車用ヘルメットの実施形態の略図である。
【図４８】ハニカム母体が使用者の頭部の外表面の多くの位置に対して垂直でない方向で並べられている、平行に並べられているセル構造を伴う自転車用ヘルメットの略図である。
【図４９】本開示による自転車用ヘルメットの区分同士の間に構造を伴う自転車用ヘルメットの実施形態の略図である。
【図５０】本開示によるハニカム母体を欠いている構造で埋められたかまたは置き換えられたハニカム母体の区分または区分の一部分を伴う自転車用ヘルメットの実施形態の略図である。
【図５１】本開示によるハニカム母体を欠いている構造で埋められたかまたは置き換えられたハニカム母体の区分または区分の一部分を伴う自転車用ヘルメットの実施形態の略図である。
【図５２】本開示によるハニカム母体に形成されたロゴまたは他の所定の図形または同様のものを見せるために、その使用可能状態または拡張状態への自転車用ヘルメットの移動の進行を描写している自転車用ヘルメットの実施形態の略図である。
【図５３】本開示によるハニカム母体に形成されたロゴまたは他の所定の図形、または同様のものを見せるために、その使用可能状態または拡張状態への自転車用ヘルメットの移動の進行を描写している自転車用ヘルメットの実施形態の略図である。
【図５４】本開示によるハニカム母体に形成されたロゴまたは他の所定の図形または同様のものを見せるために、その使用可能状態または拡張状態への自転車用ヘルメットの移動の進行を描写している自転車用ヘルメットの実施形態の略図である。
【図５５】本開示による、使用の間に展開される光機構を伴う自転車用ヘルメットの実施形態の略図である。
【図５６】本開示による、使用の間に展開される光機構を伴う自転車用ヘルメットの実施形態の略図である。
【発明を実施するための形態】
【００４８】
図を参照すると、本開示は、使用者110によって着用でき、特には乗り手がヘルメットを選ばない状況に対して、自転車120に乗車している間に衝突または落下した場合に使用者110を保護するように示され得る自転車用ヘルメット100を含む。自転車用ヘルメット100の構造は、配向および構成がほとんどの自転車の状況において十分な頭部保護を提供し、自転車用ヘルメット100の構造的な完全性を提供するように示され得るハニカム形状とされた母体130を備える。自転車用ヘルメット100の構造と、母体の配向および構成とは、本明細書に開示されたその数々の技術的および機能的な特徴から独立および区別された多くの装飾的な特徴を備え得る。
【００４９】
本開示の多くの実施形態では、1つまたは複数の自転車用ヘルメット100は、図13〜図20を含む多くの図において描写されている保管、潰れた、折り畳み、または同様のものの状態140において展開され得る。そのため、自転車用ヘルメット100は、図5〜図12を含む図において描写されているその拡張、使用可能、開いた、または同様のものの状態142へと拡張および移動させられ得る。折り畳み状態140と拡張状態142との間の移動は、図2、図3、および図4を含む図に描写されている。
【００５０】
折り畳み状態140では、自転車用ヘルメット100は、使用、販売、無料配布、または同様のものまで保管され得る。自転車用ヘルメット100がその拡張状態142まで展開されるとき、自転車用ヘルメット100は、乗車している間に使用者110の安全性のために使用者110の頭部150に着用され得る。これらの例において、頭部150の外表面152は、ハニカム母体130のセル構造160が頭部150の外表面152に対して概して垂直である方向において径方向に配置され得る輪郭154を有する。旅程が完了したとき、または、旅程が途中で止まるとき、使用者110は、自転車用ヘルメット100をその折り畳み状態140へと戻し、後で再び(および、必要により再び)折り畳み解除および拡張してその拡張状態142へと展開できる。実施形態では、自転車用ヘルメット100は、その折り畳み状態140と拡張状態142との間で、その耐用期間にわたって多くの回数で移動させられ得る。実施形態では、自転車用ヘルメットは、使用可能な耐用期間を定めるために、所定の移動量で折り畳み状態と拡張状態との間で移動させられ得る。実施形態では、自転車用ヘルメットは、使い捨ての指示がされた1回または限られた数で折り畳み状態と拡張状態との間で移動させられ、その後に再利用または廃棄され得る。実施形態では、その使用可能な耐用期間内での自転車用ヘルメット100の折り畳み状態140と拡張状態142との間の繰り返しの移動が、自転車用ヘルメット100によって提供される衝撃保護の有効性を妨げないように示され得る。
【００５１】
実施形態では、自転車用ヘルメット100は、その構造の一部分が、使用を指示する表示部を意図的に備えるかまたは定めるが、自転車用ヘルメット100の全体の構造的な完全性を損なわないようにし得る。実施形態では、自転車用ヘルメット100は、図55および図56に示しているように、使用中に1つもしくは複数の反射体または1つもしくは複数の光機構を有するように構成され得る。多くの例において、1つまたは複数の光機構は、自転車用ヘルメット100が折り畳み状態140から拡張状態142へと移動させられるときに作動させられ得る。実施形態では、自転車用ヘルメット100を折り畳み状態140から拡張状態142へと移動させることによる1つまたは複数の光機構の作動は、使用、1回の使用、または同様のものを指示する表示部であり得る。実施形態では、自転車用ヘルメット100を折り畳み状態140から拡張状態142へと移動させることによる1つまたは複数の光機構の作動は、使用、1回の使用、または同様のものの追跡可能な指示部として機能してもよい。
【００５２】
実施形態では、自転車用ヘルメット100は、図1に示しているように、自動販売機から自動的に販売され得る。自動販売は、自転車用ヘルメット100が折り畳み状態140にある状態で行われ得る。実施形態では、自転車用ヘルメット100の自動販売は、レンタル、シェアリング、購入、無料配布、促進による提供、または同様のものの1つまたは複数を含み得る取引と組み合わせて行われ得る。実施形態では、自転車用ヘルメット100は宣伝を含んで表示し得る。実施形態では、自転車用ヘルメット100は、その拡張状態142にあるときに視認可能であるがその折り畳み状態140にあるときに十分に視認可能ではない宣伝を含んで表示し得る。実施形態では、自転車用ヘルメット100は、拡張状態142へと移動されるときにその外表面における外湾曲において宣伝または図形を見せることができる。一例では、宣伝は、自転車の各々に1つまたは複数の自転車用ヘルメット100を提供する自転車のレンタル、シェアリング、購入、使用、または同様のものを提供する実体(または、関連する実体)からのものである。
【００５３】
図1は、自転車用ヘルメット100を含む自転車用ヘルメットの自動販売のための多くの実施形態を描写している。実施形態では、使用者110を含む使用者が、自転車120を含む1つまたは複数の自転車を、公的または私的な使用において世界中で利用可能であり得る自転車シェアリング、レンタルの用意、私的な使用の貸自転車業者、自動販売機、または同様のものを展開する1つまたは複数の自転車システム170を通じて賃借するために手配できる。実施形態では、使用者110は、シェアリングプログラム、レンタルの用意、または同様のものを含む自転車システム170のうちの1つまたは複数に登録でき、そのため、1つまたは複数の自転車システム170に特有である使用者プロフィール172(または、その一部分)を含む身元、プロフィール、システム情報、または同様のものを維持できる。実施形態では、使用者は、1つまたは複数の乗車シェアリングアプリケーションまたは同様のものに対してアクセス、相互作用、および展開するために、ならびに、使用者プロフィール172と関連する様々な好みおよび/または優先を構成するために、モバイルフォン、使用者110のモバイルフォン、ウェブブラウザ、販売所、または同様のものを含む接続された装置180を使用できる。
【００５４】
図2、図3、および図4を参照すると、使用者110は、自転車用ヘルメット100をその拡張状態142へと拡張でき、自転車用ヘルメット100を衝撃保護として使用できる。実施形態では、使用者110は、ヘルメット100を、図2に示した自身の頭部に置くことができ、使用者110の頭部150にわたってヘルメット100を引っ張り始めるために、顎紐組立体200の紐を掴むことができる。図3は、使用者110が、第1の外れ止め部204に連結された第1の側の紐202と、第2の外れ止め部210に連結された第2の側の紐208とにおいて引っ張り続けるときの自転車用ヘルメット100の初期の拡張を描写している。使用者110は、第1の外れ止め部204を第2の外れ止め部210に固定し、その結果、顎紐組立体200が使用者110の顎220にわたって固定されることで、自転車用ヘルメット100を頭部150に固定する過程を完了できる。顎紐組立体200が快適に調節されている場合、使用者110の顎220にわたって顎220の周りで顎紐組立体200を閉じることで、自転車用ヘルメット100をその拡張状態142へと置くことができ、使用者110の頭部150にわたって適切に位置付けられ得る。
【００５５】
実施形態では、自転車用ヘルメット100は薄い柔軟な材料230から作られ得る。薄い柔軟な材料230はハニカム母体130のセル構造160を形成できる。実施形態では、ハニカム母体130は紙の母体であり得る。自転車用ヘルメット100がその拡張状態142にあり、ハニカム母体130が使用者110の頭部150の周りに位置決めされるとき、ハニカム母体130自体は、使用者110の頭部150を保護するために十分な保護と構造的な完全性とを提供するように示され得る。これらの例において、ハニカム母体130は、自転車用ヘルメット100における構造的要素として機能できる。実施形態では、ハニカム母体130は、唯一の構造的要素として、唯一の保護要素として、および、自転車用ヘルメット100を折り畳み状態140と拡張状態142との間で移動させる構造として機能できる。実施形態では、ハニカム母体130はセルの径方向に配置された母体から構築されている。実施形態では、ハニカム母体130はセルの径方向に配置された母体から構築され、ここで径方向に配置されたとは、互いと平行になっているセル構造160を含まない、セル構造160の互いに対する任意の配向を含む。実施形態では、ハニカム母体130の隣接するセル構造160は平行ではない。
【００５６】
実施形態では、自転車用ヘルメット100の薄い柔軟なヘルメット材料230は、紙材料、ポリプロピレン材料、および同様のものであり得る。実施形態では、薄い柔軟なヘルメット材料230は、紙材料代用品、トウモロコシプラスチック、PETプラスチック、スクロースに基づくプラスチック、コーンスターチに基づくプラスチック、麻、織られたプラスチック、再生紙、および他の有機繊維であってもよい。多くの例において、薄い柔軟なヘルメット材料230は、厚さが1mm未満であり得る。多くの例において、ハニカム母体130として展開されているような薄い柔軟なヘルメット材料230の構成は、自転車用ヘルメット100を折り畳み状態140へと展開させ、その後、折り畳み状態140と拡張状態142との間で複数回移動させることができる。実施形態では、ハニカム母体130の曲がる能力とは、自転車用ヘルメット100を折り畳み状態140と拡張状態142との間で移動させることができることである。
【００５７】
自転車用ヘルメット100は、使用可能状態または拡張状態142において使用者によって着用でき、使用者が自転車を使用する間に衝突、落下、または他の頭部の衝撃を受けるとき、使用者を保護できる。自転車用ヘルメット100は、拡張状態142において着用されるとき、使用者の頭部150への強打から生じる衝撃の少なくとも一部を吸収することによって、使用者を保護できる。地面、縁石、動力車、別の自転車、別の人、動物、建物、道路案内標識、および同様のものであり得る物体への、または、そのような物体からの衝突または他の衝撃の間にほとんどあらゆる方向からの自転車用ヘルメット100を伴う頭部150への有害な強打または衝撃を受けることから使用者110が保護され得ることが、示され得る。
【００５８】
自転車用ヘルメット100は顎紐組立体200を備えてもよい。顎紐組立体200は、使用者の顎220の下方を包むことで使用者110の頭部150に自転車用ヘルメット100を固定できる。顎紐組立体200は、第1の外れ止め部204に連結された第1の側の紐202と、顎紐組立体200を固定するために第1の外れ止め部204と連結および連結解除できる第2の外れ止め部210に連結された第2の側の紐208とを備え得る。顎紐組立体200は、ポリプロピレンで編まれた網目織物、綿の網目織物、および他の適切な紐材料から作られ得る。さらなる例では、顎紐組立体200は、紙、革、複合材料、ポリプロピレン材料、および同様のものから作られ得る。
【００５９】
図5および図10に描写されているように、顎紐組立体200は上方顎紐240と下方顎紐242とを備え得る。一例では、上方顎紐240は、自転車用ヘルメット100の各々の側部において2つの上方顎紐部分250、252を備え得る。下方顎紐242は、留め金254を形成し得る外れ止め部204、210に各々連結し得る。これらの例において、第1の側の紐202および第2の側の紐208は、上方顎紐240のうちの1つと下方顎紐242のうちの1つとを各々備えることができ、留め金254において解除可能に連結できる。
【００６０】
図5〜図12を参照すると、自転車用ヘルメット100は、複数の区分270から組み立てられ得る。実施形態では、区分270は、区分270同士の間の隙間272によって分離され、区分270同士の間に隙間272を定め得る。実施形態では、自転車用ヘルメット100は3つの区分270を備え得る。3つの区分270は中間区分280と2つの側方区分282、284とを含み得る。実施形態では、区分270の各々は、径方向に並べられたセル構造160を伴うハニカム母体130を各々備え得る。実施形態では、セル構造160は、ハニカム母体130を形成するために組み合わせで協働できる。ハニカム母体130とそのセル構造160とは、紙、プラスチック、および他の適切な材料などのヘルメット材料230の層から形成され得る。
【００６１】
実施形態では、ヘルメット材料230の層は、セル構造160を形成するためにパターンで接着され得る。ヘルメット材料230の層のパターンは、セル構造160が使用者110の頭部150の外表面152に対して直交して立つことができ、セル構造160が自転車用ヘルメット100を折り畳み状態140と拡張状態142との間で移動させることもできるように、配置され得る。実施形態では、ヘルメット材料230の層のパターンは、セル構造160を潰させるかまたは折り畳ませることができ、区分270を折り畳み状態140において横方向で各々平らにさせるように配置されてもよい。実施形態では、ヘルメット材料230の層は、ハニカム母体130の個々の構造的なセル160を形成できる交互の径方向のパターンで接着され得る。実施形態では、構造的なセル160は、自転車用ヘルメット100が拡張状態142にあるときに任意の方向において1.5cm以下の幅となるように構成され得る。
【００６２】
実施形態では、上方顎紐240の第1の側の紐202と第2の側の紐208とは、2つの側方区分282、284に各々付着できる。実施形態では、顎紐組立体200と、自転車用ヘルメット100を使用者110に固定するための他の機構との様々な構成が、採用され得る。実施形態では、側方区分282は外面290を有することができ、側方区分284は外面292を有することができる。自転車用ヘルメット100の折り畳み状態140では、外面290および292はほとんど平行であり得る。顎紐組立体200の第1の側の紐202および第2の側の紐208は、外面290、292の付着位置294、298において2つの側方区分282、284にそれぞれ付着できる。実施形態では、上方顎紐240および2つの上方顎紐部分250、252のうちの少なくとも1つは、糊、他の適切な接着剤、機械的な留め具、または同様のもので、付着位置294、298に固定され得る。実施形態では、上方顎紐240および2つの上方顎紐部分250、252のうちの少なくとも1つは、また、2つの側方区分282、284の一部分、または同様のものへと、係止または結び付けしてもよい。
【００６３】
実施形態では、区分270は、図6および図16において描写されているように、紐310を連結することで一体に保持され得る。連結する紐310は、自転車用ヘルメット100が図6に描写したようにその折り畳み状態140において展開されるときに潰れるかまたは折り畳まることができ、平らになることができる。連結する紐310は、自転車用ヘルメット100がその拡張状態142において展開されるときに拡張してもよい。実施形態では、連結する紐310は、若干柔軟または硬質であり得るスペーサまたはバンパとして展開されてもよい。実施形態では、連結する紐310は、顎紐組立体200の紐と同様の紐材料から作られ得る。多くの例において、連結する紐310の材料は、紙の複合材料、ポリプロピレン材料、または同様のものであり得る。多くの例において、連結する紐310の材料の一部分は、ハニカム母体130の構造的なセル160の一部分と同じ材料であり得る。
【００６４】
図49に描写しているように、自転車用ヘルメット100の区分270は、実施形態では、ハニカム母体130と同様の材料から作られ得るハニカムブロック320によって一体に保持されるように構成され得る。実施形態では、自転車用ヘルメット100の区分270は、セルがハニカム母体130におけるセル構造160より幅広に拡張できる1つまたは複数のハニカムブロック320を備える前部から後部への条片を通じて互いに付着させられ得る。ハニカムブロック320は、耐衝撃性を含む自転車用ヘルメット100の全体の構造に寄与してもよい。ハニカムブロック320は、より柔軟となるように示されてもよく、自転車用ヘルメット100の外表面334が、自転車用ヘルメット100がその拡張状態142へと拡張されたときに使用者110の頭部150に最も近い表面であるその内表面338より大きい面積を有し得るように、自転車用ヘルメット100の外湾曲330に隣接し得る構造的なセル160の一部分を、内湾曲332に隣接する構造的なセル160の一部分よりはるかに大きく拡張させることができる。
【００６５】
実施形態では、自転車用ヘルメット100の区分270は、連結する紐310の代わりにハニカムブロック320を使用して、より小さい大きさとされてもよい。これらの例において、区分270は、自転車用ヘルメット100の前部から後部へと(および、側部から側部へと)実質的に同じ距離で広がる一方で、ハニカムブロック320を使用する区分270に対して、ハニカム母体130のより少ないセル構造160を備えてもよい。実施形態では、自転車用ヘルメットの区分は、ハニカムブロック320を使用して各々が互いに連結される5つの区分で構成されてもよい。実施形態では、自転車用ヘルメットの区分は、連結する紐310を使用して各々が互いに連結される5つの区分で構成されてもよい。
【００６６】
実施形態では、ハニカム母体130を作り上げるセル構造160は、互いに対して径方向に、セル構造160の各々を使用者110の頭部150の外表面152に対して実質的に垂直に並べさせるように構成され得る。実施形態では、区分270のうちの少なくとも1つの径方向に配置されたハニカム母体130のセル構造160が、ハニカム母体130におけるそのセルに近接する使用者110の頭部150の表面152の一部分に対して隣接して位置付けられ、その表面152の一部分に対して実質的に垂直に位置決めされるように構成される。そのため、ハニカム母体130からのセル構造160は、自転車120の通常の動作の間に受けることになるほとんどあらゆる角度からの使用者110の頭部150への強打に対して保護を提供するように示され得る。強打を受けると、ハニカム母体130からのセル構造160の材料は、使用者110を保護する間に、衝撃の近傍において粉砕するかまたは押し潰れることができ、十分な大きさの強打の衝撃を吸収できる。
【００６７】
実施形態では、自転車用ヘルメット100は、使用者についての衝撃、配置、および安全性を試験するものなど、多くの安全性の試験に耐えるように示されてもよい。実施形態では、自転車用ヘルメットは、その耐衝撃性を確認するために衝撃部材で衝突され得る。実施形態では、衝撃部材は、直径が146mm(5.75インチ)より大きい可能性のある球状の衝撃部材である。実施形態では、衝撃部材はアルミニウムから作られる。実施形態では、衝撃部材は、1秒間あたり5メートルを超える速度で落下され得る。一例では、速度は5.44m/sである。実施形態では、衝撃部材は平らなアンビルであり得る。実施形態では、衝撃部材は半球状のアンビルであり得る。実施形態では、衝撃部材は縁石のアンビルであり得る。実施形態では、自転車用ヘルメットは、1秒間あたり4メートルを超える速度で落下され得る。一例では、速度は6.2m/sである。一例では、速度は4.8m/sである。
【００６８】
使用者によって着用されない場合、自転車用ヘルメット100は折り畳み状態140において展開され得る。折り畳み状態140で展開された自転車用ヘルメット100は、平らになって圧縮され、そのため、典型的な硬い外殻の自転車用ヘルメットより小さい空間を占め得るため、自転車用ヘルメット100の保管を容易にすることができる。実施形態では、自転車用ヘルメット100は、他の利用可能な折り畳みヘルメットより、より軽量であることと、より平らに折り畳まることとを含め、多くの利点を有している。自転車用ヘルメット100は、利用可能なポリスチレンのヘルメットより頭部の周りで均一に押し潰れる衝撃を分配するように示され得る。さらに、自転車用ヘルメット100を構築するために使用される構造および材料は、比較的安価な生産および材料の請求を可能にすることができる。
【００６９】
実施形態では、自転車用ヘルメット100は、中心点から折り畳み解除する単一の区分で構成されてもよい。自転車用ヘルメット100のハニカム母体130は、ハニカム母体130の一部分を所定位置で保持および固定するために接着剤を含み得る。この例において、ハニカム母体130のセル160は、組み立てるために一体に押し付けられ、折り畳み状態140において横方向で平らになり得る接着片を外側において備え得る。実施形態では、ハニカム母体130のヘルメット材料230の層は、使用者110の頭部150の外表面152に対して垂直である方向において配置され得るセル構造160を作り出すために、交互の径方向の様態または適切なパターンで接着され得る。
【００７０】
実施形態では、少なくとも1つの区分270を伴う自転車用ヘルメット100は、柔軟なヘルメット材料230の2つの側方区分282、284の間に柔軟なヘルメット材料230の中間区分280を備える。中間区分280および側方区分282、284は、各々、側方区分282、284の各々の側部が概して平行に配置される折り畳み状態140から移動可能で、中間区分280および側方区分282、284が拡張され、協働して、使用者110の頭部150にわたって少なくとも部分的に配置され得る拡張状態142から移動可能であり得る。
【００７１】
実施形態では、ハニカム母体130を伴う自転車用ヘルメット100は、構造的なセル160の各々に近接する使用者110の頭部150の外表面152の一部分に概して垂直に配置される径方向に並べられた構造的なセル160から形成され得る。外湾曲330と、内湾曲332と、径方向に並べられた構造的なセル160と、自転車用ヘルメット100の前部および後部でのハニカム母体130におけるセル160の列の各々の狭くなる最終的な終端との組み合わせは、自転車用ヘルメット100が拡張状態142に置かれるとき、または、少なくとも自転車用ヘルメットがその拡張状態142の少なくとも85%まで拡張されるとき、セル160を使用者110の頭部150の外表面152に対して垂直となるように自動的に配置させるように示され得る。
【００７２】
実施形態では、ハニカム母体130は、自転車用ヘルメット100の前部から後部へと並べられ得るいくつかの相互連結されたパネル350から成り得る。実施形態では、パネル350の1つまたは複数は、自転車用ヘルメット100の前部から後部への長さ全体にわたって延びることができ、パネル350のうちの1つまたは複数は、ヘルメット100の前部から後部への長さの一部分にわたってのみ延び得る。実施形態では、パネル350は、ハニカム母体130を形成し、ハニカム母体130と一体化されるために、複数の点において相互連結され得る。実施形態では、折り畳み状態140から拡張状態142への拡張の間のハニカム母体130の曲がる動きは、ハニカム母体130における個々の構造的なセル160を開けさせ、使用者110の頭部150の外表面152を受け入れるように構成される自転車用ヘルメットの内湾曲332に対して実質的に垂直の配向で配置させることができる。
【００７３】
実施形態では、自転車用ヘルメット100は、拡張状態142において配置され得る、拡張状態142への拡張は、図21〜図36に示しているように、自転車用ヘルメットの外湾曲330にわたって配置され得る少なくとも1つの紐360によって制限され得る。実施形態では、少なくとも1つの紐360は2つの紐362、364を備える。2つの紐362、364は、顎紐組立体200の2つの上方顎紐部分250、252から延ばされ得る。実施形態では、少なくとも1つの紐360は、自転車用ヘルメット100にわたって位置決めでき、拡張状態142へと移動するとき、ハニカム母体130の拡張の量を制限するように構成され得る。実施形態では、顎紐組立体200は、少なくとも1つの区分270の少なくとも1つの側部に連結され得る。顎紐組立体200の一部分は、自転車用ヘルメット100にわたって位置決めされる少なくとも1つの紐360を備え得る。この例において、顎紐組立体200を形成する材料の一部分は、ヘルメット100にわたって続くことができ、少なくとも1つの紐360の一部分を形成できる。実施形態では、顎紐組立体200の一部分は、自転車用ヘルメット100にわたって位置決めされる少なくとも1つの紐360と同じ材料から作られ得る。実施形態では、自転車用ヘルメット100にわたって位置決めされる顎紐組立体200の一部分と少なくとも1つの紐360とは、単一構造であり得る。
【００７４】
実施形態では、少なくとも1つの紐360は、図37に示しているように、顎紐組立体200の他の部分と再連結するために、2つの上方顎紐部分250、252からヘルメット100の反対側へとずっと、単一材料片として続いていくことができる。実施形態では、少なくとも1つの紐360は、図21〜図36に示しているように、ヘルメット100が拡張状態142へと移動するとき、自転車用ヘルメット100の外表面334にわたって延びることができ、ハニカム母体130の個々の構造的なセル160と干渉しないようにできる。実施形態では、少なくとも1つの紐360は、ヘルメット100が拡張状態142へと移動するとき、自転車用ヘルメット100の区分270の各々の外表面334にわたって延びることができ、ハニカム母体130の個々の構造的なセル160と干渉しないようにできる。実施形態では、少なくとも1つの紐360は、ヘルメット100が拡張状態142へと移動するとき、ハニカム母体130の個々の構造的なセル160と干渉しない一方で、区分270の各々の外表面334にわたって延びることができ、自転車用ヘルメット100の全体にわたって延びることができ、それらの組み合わせとできる。これらの例において、少なくとも1つの紐360は、自転車用ヘルメット100がその折り畳み状態140にあるとき、自転車用ヘルメット100の上方で寄せ集まることができ、そのため、拡張状態においてヘルメット100の外表面334の上部に位置決めされ得る。
【００７５】
実施形態では、自転車用ヘルメット100は、図38に示しているように、少なくとも1つの紐360を受け入れるために、ハニカム母体において凹部370を伴って構成され得る。実施形態では、自転車用ヘルメット100は、2つの紐362、364の一方を受け入れるために、ハニカム母体130において凹部370を伴って構成され得る。実施形態では、自転車用ヘルメット100は、2つの紐362、364の両方を受け入れるために、ハニカム母体130において凹部370を伴って構成され得る。実施形態では、少なくとも1つの紐360は、図39に示しているように、自転車用ヘルメット100がその折り畳み状態140にあるときに折り畳まることができる。実施形態では、少なくとも1つの紐360は、図40に示しているように、自転車用ヘルメット100がその折り畳み状態140にあるときに螺旋状になることができる。実施形態では、拡張の量を制限するように構成される少なくとも1つの紐360は、自転車用ヘルメット100のハニカム母体130がその折り畳み状態140にあるとき、寄せ集まるか、折り畳まるか、または螺旋状になるかの1つになるように構成され得る。実施形態では、自転車用ヘルメット100の拡張を制限することで、構造的な完全性を可及的に低減させるまで拡張させることなく、ヘルメット100を拡張状態142まで完全に拡張させることが可能となり得る。実施形態では、自転車用ヘルメット100の拡張を少なくとも1つの紐360で制限することで、ヘルメット100を拡張させ過ぎることなく拡張状態142まで完全に拡張させることが可能となり、ヘルメット100を第1の側の紐202および第2の側の紐208における使用者110の引っ張り力により容易に対抗させることが可能となり得る。実施形態では、自転車用ヘルメット100の拡張を制限することは、自転車用ヘルメット100の可及的な過剰な拡張を抑制するハニカム母体130の構造的な剛性だけで達成され得る。
【００７６】
実施形態では、少なくとも1つの紐360は、固定された長さであり得るか、または、自転車用ヘルメット100がその拡張状態142へと移動されるときに自転車用ヘルメット100と共に伸長するように弾性であり得る。少なくとも1つの紐360は、自転車用ヘルメット100を拡張する使用者によって力が加えられるときに通常は収縮および伸長する弾性の種類の材料など、伸縮性の材料から作られ得る。実施形態では、少なくとも1つの紐360は、代わりに、潰されるかまたは折り畳まれるときにそれ自体において螺旋状になり、拡張されたときに広がる蛇腹状の材料から作られ得る。これらの例において、このような少なくとも1つの紐360の最大での広がった長さは、ヘルメットについて許容される拡張の度合いに制限を課してもよい。
【００７７】
図1、図41、図42、および図43を参照すると、自転車用ヘルメット100は、自転車乗車シェアシステム170において展開され得る追跡、使用、および在庫の特徴400を含むように構成され得る。実施形態では、使用者110が、自転車システム170からのカスタマイズされた経験、素早いチェックインおよび出発、ならびに同様のものなどの最大限の便益を得るのを助けるために、使用者プロフィール172を含む好みおよび/または優先が1つまたは複数の自転車システム170によって使用され得る。実施形態では、使用者110が、自転車システム170から自転車120(または、他のもの)を受け入れる条件として、自転車用ヘルメット100または別のヘルメットを入手して着用することを、1つまたは複数の自転車システム170は要求してもよい。
【００７８】
実施形態では、使用者110は、ヘルメットの大きさを推薦するために、または、ヘルメットが正確に着用されていることを確保するために使用され得る1つまたは複数の人の頭部の写真を撮るための1つまたは複数のカメラ410を、接続された装置180において使用できる。実施形態では、使用者は、自転車システム170に関連する自転車シェアリングデポ420または同様のものにおいて1つまたは複数の自転車にアクセスできる。これらの例において、使用者110は、使用者の好みおよび使用者プロフィール172に基づいて、使用者に推薦され得る自転車の小集団など、複数の利用可能な自転車のうちの1つを選択できる。実施形態では、使用者110は、自転車が予約された場所および時間において利用可能となることを確保するために、1つまたは複数の自転車を前もって予約するように要求できる。自転車シェアリングデポにおける自転車の在庫および/またはヘルメットへのアクセスを確認することを含め、自転車のうちの1つまたは複数を予約および/または選択することは、自転車シェアリングまたはヘルメットシェアリングのモバイルアプリケーションおよび同様のものを通じてなど、使用者110の接続された装置180を通じて行うことができる。実施形態では、自転車にアクセスすることおよび/または自転車を予約することは、使用者110がアクセスできる、かつ/または、使用者が自転車120のうちの1つまたは複数を予約した自転車シェアリングデポ420と同じ場所に位置付けられ得るヘルメット自動販売機422、ヘルメット自動販売施設424、または、自転車用ヘルメット100を提供する任意のヘルメット分配システム450からの自転車用ヘルメット100のうちの1つまたは複数のアクセスおよび/または予約も含む。
【００７９】
自転車システム170は、自転車シェアリングを調整および管理することができ、また、ヘルメットのアクセスを調整および管理することもできる、かつ/または、デポの場所に従って自転車またはヘルメットの在庫を維持することもできる。実施形態では、自転車システム170は、自転車用ヘルメット100の在庫460を維持することを同様に調整でき、どのヘルメット100がデポの場所またはその近くにおいて利用可能であり得るかを視認化できる。これらの例において、使用者110は、自転車120を使用する間、使用のためにヘルメット100へのアクセスを与えられるように、接続された装置180におけるアプリケーションを通じてバイクシステム170を作動させることによって、自転車120にアクセスできる。実施形態では、ヘルメットの使用は、使用者がヘルメットにアクセスしない選択をできるように任意選択であり得る。他の実施形態では、ヘルメットの使用は、現地の規制に準拠するようになど、強制的であり得る。これらの他の実施形態では、使用者は、自身のヘルメットまたは自転車用ヘルメット100の使用を確認する必要があり得る。
【００８０】
実施形態では、自転車用ヘルメット100は、ヘルメット100を使用者110に折り畳み状態140において分配する自動販売機422または他のヘルメット分配システム450を通じて提供され得る。使用者110は、図2、図3、および図4に示しているように、自転車用ヘルメット100を受け入れ、拡張し、着用することができる。使用者110がヘルメット100をもはや必要としないとき、使用者110は、ヘルメット100を目的地のヘルメット受入部470(図42)もしくは他のヘルメット分配システム450へと返却することができる、または、ヘルメット100を適切な再利用容器もしくはシステムに置くことができる。ヘルメット在庫460、使用、場所、および再使用を追跡するための方法およびシステムは、図1に描写された自動販売など、適用の実施形態で展開され得る
【００８１】
実施形態では、自転車用ヘルメット100の1つまたは複数をアクセスおよび/または予約することは、自転車用ヘルメット100、他のバイクシェアリングプログラム、小売バイクの場所、他の小売場所、および同様のもののスポンサーと関連する便益を含み得る。1つまたは複数の企業が、公衆に分配される各々のヘルメット100に料金を払うことを通じてなど、アクセス、無料配布、コンテスト、および自転車用ヘルメット100を伴う他のプログラムに出資することを選択できる。実施形態では、本明細書に記載しているように自転車用ヘルメット100へのアクセスに出資することで、企業は、ヘルメット100の使用者に、スポンサーの値下げした製品またはサービスのためのデジタルクーポンなどのインセンティブを提供できる。自転車用ヘルメット100のアクセスおよび使用のためのインセンティブは、使用者が自転車用ヘルメット100にアクセスまたは取得することと引き換えに、スポンサーによる販売促進(例えば、デジタルクーポンおよび同様のもの)を含み得る。実施形態では、インセンティブは、公共のバイク道路および同様のものに沿って乗車する自転車使用者のビデオキャプチャを通じてなど、1つまたは複数のヘルメット100の検出された使用と関連付けられ得る。ヘルメット100のうちの1つまたは複数を着用していることが検出された使用者110には、使用者の自転車シェアリングのアカウントへと電子的に直接送られ、使用者の接続された装置180を通じてアクセスされ得るインセンティブが提供され得る。
【００８２】
自転車用ヘルメット100の使用者110には、本明細書に記載したような自転車シェアリングデポに位置付けられ得る適切な再利用施設または使用済みヘルメット受入施設を通じてなど、使用後の自転車用ヘルメット100の適切な廃棄のためのインセンティブが提供されてもよい。自転車用ヘルメット100のうちの1つまたは複数は、第1の場所において分配されてもよく、再利用またはヘルメットアクセスの施設に送られるときにヘルメット100を検出することを容易にする電子的および/または物理的なマークを含んでもよい。実施形態では、自転車用ヘルメット100のうちの1つまたは複数が、RFIDタグまたは同様のものなどの電子的なマークを含んでもよい。実施形態では、自転車用ヘルメット100のうちの1つまたは複数が、シリアル番号、認証ホログラム、または同様のものなどの物理的なマークを含んでもよい。自転車用ヘルメット100が、先に分配された後に回収されたとして検出されるとき、ヘルメット100は、適切に再利用されたとして指定され得る。実施形態では、再利用のための自転車用ヘルメット100の返却は、謝礼、基礎的預金への返金、ソーシャルメディアの指示部、または同様のものを生成してもよい。実施形態では、割引または無料での将来の自転車の使用などのインセンティブが、自転車シェアリング、ヘルメット使用の検出、ヘルメット廃棄の検出、または同様のものを使用して、予約を行うことに対して提案され得る。
【００８３】
展開の環境は、ヘルメット分配システム450、返却システム、再使用システム、および、目的地のヘルメット受入部などの他の技法を含み得る。バイクシェアリングプログラムを含む多くの乗車シェアリング環境の実施形態では、使用者110は、第1の場所(例えば、住居に近い場所)において自転車120および自転車用ヘルメット100を取得し、ヘルメット100を伴って自転車120に乗って別の場所まで進み、その別の場所の地点において、使用者110は、最終的な目的地の近くにおける自転車受入部および目的地のヘルメット受入部470において、自転車120および自転車用ヘルメット100を置いていくことができる。さらに、使用者110は、自身の自転車の旅程が続く場合、ヘルメット100を保持でき、ヘルメット100を再び使用できる。
【００８４】
実施形態では、ヘルメット分配システム450、ヘルメット自動販売機422、ヘルメット自動販売施設424、または同様のものは、自転車用ヘルメット100の各々における1つまたは複数の追跡装置482の存在または近接を検出できるヘルメット検出システム480を伴って構成され得る。各々の追跡装置482は、個々のヘルメットの検出および追跡を容易にするシリアル番号で構成されてもよい。自転車用ヘルメット100のうちの1つまたは複数を分配することは、ヘルメット検出システム480によって捕らえられ得る分配されたヘルメットの各々のシリアル番号を含んでもよく、それによって、ヘルメット100のうちの1つへのアクセスの指示、または、ヘルメット100のうちの1つの分配を提供する。実施形態では、在庫の追跡は、ヘルメット分配システム450のうちの1つまたは複数が再補充され得るように追加の在庫を自動的に注文するために使用されてもよく、各々の分配ステーションについての在庫の記録を維持するときに使用されてもよい。例として、分配ステーションにおける自転車用ヘルメット100の在庫が閾未満に落ちたとき、または、ヘルメット100が分配されている速さが分配の閾を超えているとき、自動化された技法が、ヘルメット自動販売機422、ヘルメット自動販売施設424、ヘルメット分配システム450、または同様のもののうちの1つまたは複数において、ヘルメット100の在庫を再補充することを促進するために用いられてもよい。
【００８５】
実施形態では、ヘルメット追跡装置482は、自転車用ヘルメット100の場所を追跡するのを容易にすることができる。これらの例において、自転車用ヘルメット100の場所を追跡することは、Wi-Fiホットスポットを介したセルラーネットワーク、または、他の方法を通じてなど、ヘルメット100の場所を報告するために使用され得る。実施形態では、ヘルメット追跡装置482は、ローカルの接続を提供するために、使用者110の接続された装置180に接続されるときに利用可能であり得る。実施形態では、ヘルメット100の場所は、ヘルメット100が、現地のヘルメット分配システム450、自転車道路492に沿っての検出ステーション490、および同様のものなどの検出システムの前で提示されるとき、決定され得る。
【００８６】
図44、45、および46は、セル160の所定の位置に応じて変化するハニカム母体130の構造的なセル160の形500を有する自転車用ヘルメット100の実施形態を描写しており、セル160は、自転車用ヘルメット100が拡張状態142において配置されるとき、使用者110の頭部150の輪郭154に近接する(図2)。構造的なセル160の形は、固定されてもよいが、それらの構造的なセル160に近接する使用者の頭部150の輪郭154に対して所定の様態で変化してもよい。実施形態では、セル502、504、508などの隣接するセルにおける形の変化は、使用者110の頭部150の外表面152の輪郭154の変化の割合に基づかれ得る。これらの例において、セル502、504、508は、使用者の頭部150の輪郭154の湾曲における変化を受け入れるために異なる形を有してもよく、互いに対して垂直ではなく、構造的なセル160を使用者110の頭部150に対して概して垂直に維持する構造的なセル160の径方向を維持できる。
【００８７】
実施形態では、ヘルメット100の前部および後部(図44および図45)は、中央区域(図46)より、または、ヘルメット100の中心部分の近くにおいてより、実質的に小さく拡張し得る。ヘルメット100の中心部分から前部または後部のいずれかまでのヘルメット100の拡張におけるこの違いを可能にするために、ハニカム母体130は、ヘルメット100のより中心の位置において配置されるものに対して、頭部の前部のより近くと頭部の後部のより近くとで狭くなり得る。実施形態では、より少ない数の構造的なセル160は、使用者の頭部150の前部または後部の近接と前部または後部とにおけるハニカム母体130の場所に存在でき、一方、構造的なセル160の数は、所与の面積について、ヘルメット100の中心部分に向けてより多くなるように増加し得る。
【００８８】
実施形態では、ハニカム母体130において構造的なセル160の数を低減する1つの技法は、セルを統合させることであり得る。実施形態では、ハニカム母体130において構造的なセル160の数を低減させるための1つの技法は、複数の構造的なセル160の一部分を含むパネル350のうちの1つまたは複数を途切れさせることであり得る。実施形態では、壁520、522は、ハニカム母体130の複数の構造的なセル160を形成するために、パネル350と組み合わさってもよい、または、パネル350から延ばされてもよいが、ヘルメット100の前部または後部に向けて構造的なセル160の数を低減させるために組み合わされてもよい。多くの例において、壁522は、連結領域524においてなど、壁520との連結の位置において途切れさせられ得る。壁520は、ヘルメット100についての望ましい長さを完結させるように、ヘルメット100の前部にまたは後部に向かって延びることができるが、壁522(または、1つもしくは複数の壁)は、特定のパターンまたは形を促進するために、連結領域524または1つもしくは複数の他の所定の場所において、途切れさせられ得る。実施形態では、壁を統合位置からヘルメットの前部または後部に向けて所定の終点まで連続的に付着させることで壁520、522と他のものとを統合させることが、構造的なセル160の数を減らすために使用されてもよい。実施形態では、壁を合併させることは、構造的なセル160の局所的な計数を低減させるために、合併された壁、途切れる壁、または同様のもの、およびそれらの組み合わせの厚さまたは剛性を低減させることと組み合わせられ得る。
【００８９】
図47は、本開示の多くの実施形態による、衝撃力の径方向の吸収を促進する、使用者110の頭部150の外表面152に対するハニカム母体130の構造的なセル160の径方向の並びを描写している。図48は、衝撃を径方向に向かわせず、そのため、事故もしくは同様の状況において衝撃力に耐えることができない可能性のあるヘルメットのセルの平行な並び530、または、衝撃部材、アンビル、もしくは現地の規則および規制の下での販売に向けてヘルメットの認可を取得させ得る他の試験から必要とされ得るヘルメットのセルの平行な並び530を描写している。
【００９０】
図50および図51は、ハニカム母体130から作られた2つの区分604と、固体の衝撃吸収材料610から作られた区分608とを含む区分602の組み合わせを有する自転車用ヘルメット600を描写している。区分602の数および位置と、区分602についての材料の選択とは、コスト、衝撃保護の目標または結果、重量、所望の潰れの度合い、折り畳み状態におけるコンパクト性、潰されて折り畳まれたときのヘルメットの小ささ、および同様のものに基づかれ得る。拡張状態630における自転車用ヘルメット600は、自転車用ヘルメット100の拡張状態142と同様の拡張状態であり得る。図51は、固体であるため折り畳めない区分608に対して折り畳まれる2つの区分604を示す部分的な折り畳み状態640を描写している。実施形態では、区分608は、ポリスチレン、固体の母体、および同様のものを含み得る。固体の区分608への2つの区分604の付着は、本明細書における自転車用ヘルメット100の実施形態で区分270を付着するために本明細書で記載したものと同等の方法およびシステムを通じて行われ得る。実施形態では、区分602は、径方向に配向され、ハニカム母体130の構造的なセル160を含み得る。
【００９１】
図52、図53、および図54は、ブランド化のため、または、ロゴもしくは他のマーケティングの印などのための図形を描写するための1つまたは複数の領域702を備える自転車用ヘルメット700を描写している。領域702の1つは、ハニカム母体130の構造的なセル160を有する区分710にあり得る。区分710は、折り畳み状態140と拡張状態142との間で移動してもよい。実施形態では、拡張状態142にある区分710は、区分710の外湾曲732を定める外表面730における宣伝、図形、文字、または同様のもの720の一部分を表示するように構成され得る。実施形態では、折り畳み状態140にある区分710は、区分710の外湾曲732を定める外表面730における宣伝、図形、文字、または同様のもの720の一部分の視認性を低減するように構成され得る。区分710は、折り畳み状態140から拡張状態142へと移動するにつれて、外表面730における宣伝、図形、文字、または同様のもの720の一部分を見せるようにさらに構成され得る。実施形態では、宣伝720の一部分は商標740を含み得る。実施形態では、宣伝の一部分は、発信源の意図された指示部を備えてもよい。実施形態では、宣伝720の一部分は、自転車用ヘルメット700の各々における芸術作品を生成するために認可が取得された芸術作品を含み得る。実施形態では、宣伝720の一部分は、ヘルメット分配システム450のうちの1つまたは複数と関連付けられ得る。
【００９２】
実施形態では、宣伝720は、区分710がその拡張状態142にあるときに視認可能となるように、区分710のハニカム母体の外表面730に印刷され得る。実施形態では、宣伝720は、区分710の左側または右側からより容易かまたは排他的に見させることができる姿勢から見られ得る。実施形態では、外表面730における宣伝720の印刷は、自転車用ヘルメット700がその折り畳み状態140にあるとき、宣伝720を少なくとも一部分で見ることを可能にできる。実施形態では、外表面730における宣伝720の印刷は、自転車用ヘルメット700がその折り畳み状態140にあるとき、識別可能とならないように構成され得る。
【００９３】
実施形態では、宣伝720は、限定なく、印刷、シルクスクリーン印刷、レーザエッチング、化学エッチング、エンボス加工、機械的エッチング、昇華、および同様のものを含む任意の公知の技法を用いて適用され得る。図形、ロゴ、および同様のものは、撥水性および同様のものを向上させるためになど、ハニカム母体130に被覆を適用するなど、製造ステップの一部として適用され得る。宣伝720は、宣伝720の関連する部分がハニカム母体130の構造的なセル160において存在できるように、組み立ての前にハニカム母体の壁に加えられ得る。実施形態では、宣伝720は、分配されるときに自転車用ヘルメット700に付け加えられ得る。これらの例において、ヘルメットを使用することに対する便益として、オンラインコンテンツ、賞、または同様のものなど、分配されたヘルメットのアクセス情報の受け取りを促進するために、情報が自転車用ヘルメット700に印刷されてもよい。情報は、コード(例えば、二次元バーコード、バッチ番号、在庫番号、小売価格情報、包装情報、もしくは同様のもの)または賞の情報(例えば、URL、QRコード（登録商標）、もしくは同様のもの)を含み得る。このやり方では、ヘルメットを作ること、自動販売すること、および再利用することと関連するコストが、ヘルメット700の使用者110に提供されるコードまたは賞の情報を通じて交流する機会と引き換えに、スポンサー、宣伝者、慈善事業パートナー、または同様のものと分担させられ得る。
【００９４】
図55および図56は、光804を発することができる1つまたは複数の光機構802を備える自転車用ヘルメット800を描写している。1つまたは複数の光機構802は、自転車用ヘルメット800の前部、後部、および側部のうちの少なくとも1つに各々配置された安全ライト810、812、814など、1つまたは複数の安全ライトを備え得る。実施形態では、1つまたは複数の光機構802は、自転車用ヘルメット800に連結でき、自転車用ヘルメット800がその拡張状態に開かれるときに照明を提供するように構成され得る。実施形態では、自転車用ヘルメット800に連結され得る1つまたは複数の光機構802は、自転車用ヘルメット800がその拡張状態142へと開かれるときに照明を入れるように構成され得る表示機構として構成でき、1つの照明が作動されると、それが自転車用ヘルメット800が使用されたことの指示部でもあるようにも構成される。
【００９５】
実施形態では、自転車用ヘルメット800における光機構802の各々は自家動力とされ得る。これらの例において、光機構802の各々は、小さい電池および同様のものを備えることができ、自転車用ヘルメットをその拡張状態142へと拡張するときなど、ヘルメットがもはや折り畳まれていないとき、自動的に作動できる。実施形態では、機械的スイッチまたは近接式スイッチ(例えば、ホール効果)が、ヘルメット800を拡張状態142へと移動することを含め、自転車用ヘルメットがその折り畳み状態140にもはやない状態において、自転車用ヘルメットの一部分を検出するために使用され得る。実施形態では、機械的スイッチは、スイッチが1つまたは複数の光機構802へのエネルギーの流れ(例えば、電池からの)を遮断するように配置でき、ヘルメット800がその折り畳み状態140にあるときの指示を提供できる。機械的スイッチは、ハニカムが折り畳まれるときのハニカムの壁など、ヘルメットの一部分と接触することによって、エネルギー遮断位置へと押し込まれ得る。
【００９６】
実施形態では、1つまたは複数の光機構802は、作動させられるとき、周囲光を感知するように構成されてもよく、それに基づいて、照明の許容可能なレベルを達成するために、任意選択で入または切にすることができる。周囲に光に基づく動作の例では、自転車用ヘルメット安全ライト810、812、814のうちの1つまたは複数が、自転車用ヘルメット800に近接する周囲光が所定の閾を上回るときに検出するように構成され得る指示部482(図41、図42、および図43)などのセンサを備えてもよく、その検出するとき、自転車用ヘルメット安全ライト810、812、814は消灯するように構成されてもよく、エネルギーを節約し、エネルギー源の動作期間を延ばす。実施形態では、1つまたは複数の光機構802と自転車用ヘルメット安全ライト810、812、814は、低電力消費のためのLED式ライトを備え得るが、他の種類のライトが、用途の要求または同様のものに基づいて使用されてもよい。実施形態では、1つまたは複数の光機構802および自転車用ヘルメット安全ライト810、812、814は、電池動力源を備え得るが、内臓電池を充電するために太陽光パネルを使用または内蔵してもよい。
【００９７】
本開示は詳細に図示および記載した例との関連で開示されているが、様々な変更および改良が当業者には容易に明らかとなる。したがって、本開示の精神および範囲は、前述の例によって限定されることはなく、法律によって許容される最も幅広い意味において理解されるものである。
【００９８】
本開示の詳細な態様が本明細書で開示されているが、開示された態様は、様々な形態で構築され得る開示の例でしかないことが理解されるものである。そのため、本明細書で開示されている明確な構造的および機能的な詳細は、限定として解釈されることはなく、請求項についての根拠として、および、実質的に任意の適切な詳細な構造において本開示を様々に用いるために当業者に教示するための代表的な根拠として解釈されるだけである。
【００９９】
本明細書で使用されているような「1つ」という用語は、1つまたは1つより多くとして定められている。本明細書で使用されているような「別の」という用語は、少なくとも第2の、または、さらに別のとして定められている。本明細書で使用されているような「含む」および/または「有する」という用語は、備える(つまり、オープンな移行)として定められている。「1つ」および「その」という用語の使用と、本開示を説明する文脈における(特に、以下の請求項の文脈における)同様の参照とは、本明細書において他に指示されていない場合、または、文脈により明確に矛盾されない場合、単数形と複数形との両方を網羅するように解釈されるものである。「備える」、「有する」、「含む」、および「包含する」という用語は、他に記載されていない場合、オープンエンドの用語(つまり、「〜を含むがそれに限定されない」を意味する)として解釈されるものである。本明細書における値の範囲の記述は、本明細書において他に指示されていない場合、範囲内に入る各々の別々の値に個々に言及することの簡潔な方法として作用するように意図されているだけであり、各々の別々の値が、本明細書において個々に列記されているかのように、明細書に組み込まれている。本明細書に記載したすべての方法は、本明細書において他に指示されていない場合、または、文脈によって明らかに矛盾されない場合、任意の適切な順番で実施できる。本明細書において提供されている任意およびすべての例または例示の言葉(例えば、「など」)の使用は、本開示をより良く照らし出すためだけに意図されており、他に請求されていない場合、本開示の範囲に限定をもたらすことはない。明細書における言葉は、請求されていない要素を本開示の実施に不可欠として指示しているとして解釈されるべきではない。
【０１００】
先に書かれている記載は、当業者に、最良の形態であると現在考えられているものを作らせて使用させることができるが、当業者は、本明細書における特定の態様、方法、および例の変形、組み合わせ、および均等の存在を理解および認識するものである。
【０１０１】
本明細書に記載した方法およびシステムは、コンピュータ読み取り可能命令、プログラムコード、命令を実行する、かつ/または、本明細書で開示されている方法およびシステムの1つもしくは複数の動作を機能的に実行するように構成されるハードウェアを備えるコンピュータ、計算装置、プロセッサ、回路、および/またはサーバを有する機械を通じて、一部または全部で展開され得る。本明細書で利用されているようなコンピュータ、計算装置、プロセッサ、回路、および/またはサーバという用語は、幅広く理解されるべきである。
【０１０２】
コンピュータ、計算装置、プロセッサ、回路、および/またはサーバという用語のうちのいずれか1つまたは複数は、非一時的コンピュータ読み取り可能媒体においてなど、それと通信して保存される命令にアクセスできる任意の種類のコンピュータを備え、そのコンピュータは、命令を実行するとき、本明細書において記載されているシステムまたは方法の動作を実施する。特定の実施形態では、このような命令自体がコンピュータ、計算装置、プロセッサ、回路、および/またはサーバを備える。追加または代替で、コンピュータ、計算装置、プロセッサ、回路、および/またはサーバは、別々のハードウェア装置、ハードウェア装置にわたって分配された1つもしくは複数のコンピューティング資源であり得る、かつ/または、本明細書におけるシステムおよび方法の1つもしくは複数の動作を機能的に実行するために、決定された条件に応答するように構成された論理回路、埋め込み回路、センサ、アクチュエータ、入力装置および/もしくは出力装置、ネットワークリソースおよび/もしくは通信リソース、任意の種類のメモリリソース、任意の種類の処理リソース、ならびに/またはハードウェア装置としてなどの態様を含み得る。
【０１０３】
ネットワークリソースおよび/または通信リソースは、限定なく、ローカルエリアネットワーク、広域ネットワーク、無線、インターネット、または任意の他の知られている通信のリソースおよびプロトコルを含む。例および非限定のハードウェア、コンピュータ、計算装置、プロセッサ、回路、および/またはサーバは、限定なく、汎用コンピュータ、サーバ、埋め込みコンピュータ、携帯装置、仮想計算機、および/または、これらのうちの1つもしくは複数のエミューレーション版を含む。例および非限定のハードウェア、コンピュータ、計算装置、プロセッサ、回路、および/またはサーバは、物理的、論理的、または仮想的であり得る。コンピュータ、計算装置、プロセッサ、回路、および/またはサーバは、いくつかの装置の態様として含まれる、かつ/または、分散リソースがコンピュータ、計算装置、プロセッサ、回路、および/もしくはサーバの動作を実施するために一緒に機能するように、コンピュータ、計算装置、プロセッサ、回路、および/もしくはサーバの記載した機能を実施するためのリソースの相互運用可能なセットとして含まれる分散リソースであり得る。特定の実施形態では、各々のコンピュータ、計算装置、プロセッサ、回路、および/またはサーバは別々のハードウェア上とでき、かつ/または、1つもしくは複数のハードウェア装置は、例えば、ハードウェア装置に保存された別々に実行可能な命令として、ならびに/または、第1のコンピュータ、第1の計算装置、第1のプロセッサ、第1の回路、および/もしくは第1のサーバの一部分を備えるハードウェア装置の一部の態様と、第2のコンピュータ、第2の計算装置、第2のプロセッサ、第2の回路、および/もしくは第2のサーバの一部分を備えるハードウェア装置の一部の態様とによる実行可能な命令のセットの論理的に分離された態様として、2つ以上のコンピュータ、計算装置、プロセッサ、回路、および/またはサーバの態様を含み得る。
【０１０４】
コンピュータ、計算装置、プロセッサ、回路、および/またはサーバは、サーバ、クライアント、ネットワークインフラ、モバイルコンピューティングプラットフォーム、定置式コンピューティングプラットフォーム、または他のコンピューティングプラットフォームの一部であり得る。プロセッサは、プログラム命令、コード、二進命令、および同様のものを実行することができる任意の種類の計算装置または処理装置であり得る。プロセッサは、信号プロセッサ、デジタルプロセッサ、埋め込みプロセッサ、マイクロプロセッサ、または、プログラムコードもしくはそれに保存されたプログラム命令の実行を直接的または間接的に容易にすることができるコプロセッサ(数学コプロセッサ、グラフィックコプロセッサ、通信コプロセッサ、および同様のもの)および同様のものなどの任意の変形であり得るかまたはそれらを含み得る。また、プロセッサは、複数のプログラム、スレッド、およびコードの実行を可能にすることができる。スレッドは、プロセッサの性能を高めるために、および、アプリケーションの同時の動作を容易にするために、同時に実行され得る。実施によって、方法、プログラムコード、プログラム命令、および本明細書に記載されている同様のものは、1つまたは複数のスレッドで実施され得る。スレッドは、関連付けられる優先順位を割り当てた可能性のある他のスレッドを生成でき、プロセッサは、優先順位に基づいて、または、プログラムコードに提供された命令に基づく任意の他の順番で、これらのスレッドを実行できる。プロセッサは、本明細書および他のところに記載しているような方法、コード、命令、およびプログラムを保存するメモリを備え得る。プロセッサは、本明細書および他のところに記載しているような方法、コード、および命令を保存し得るインターフェースを通じて保存媒体にアクセスできる。方法、プログラム、コード、プログラム命令、または、計算装置または処理装置によって実行させることができる他の種類の命令を保存するためのプロセッサと関連付けられた保存媒体は、CD-ROM、DVD、メモリ、ハードディスク、フラッシュドライブ、RAM、ROM、キャッシュ、および同様のもののうちの1つまたは複数を含み得るが、それらに限定されない可能性がある。
【０１０５】
プロセッサは、マルチプロセッサの速度および性能を高めることができる1つまたは複数のコアを備え得る。実施形態では、プロセッサは、デュアルコアプロセッサ、クアドコアプロセッサ、他のチップレベルのマルチプロセッサ、および、2つ以上の独立したコアを組み合わせる同様のもの(ダイと呼ばれる)であり得る。
【０１０６】
本明細書に記載されている方法およびシステムは、サーバ、クライアント、ファイヤーウォール、ゲートウェイ、ハブ、ルータ、または他のこのようなコンピュータおよび/もしくはネットワーキングのハードウェアにおけるコンピュータ読み取り可能命令を実行する機械を通じて、一部または全部において展開され得る。コンピュータ読み取り可能命令は、ファイルサーバ、プリントサーバ、ドメインサーバ、インターネットサーバ、イントラネットサーバ、ならびに、セカンダリサーバ、ホストサーバ、分散サーバ、および同様のものなどの他の変形を含み得るサーバと関連付けられ得る。サーバは、メモリ、プロセッサ、コンピュータ読み取り可能な一時的および/または非一時的な媒体、保存媒体、ポート(物理的および仮想的)、通信装置、有線または無線の媒体を通じた他のサーバ、クライアント、機械、および装置へのアクセスが可能なインターフェース、ならびに同様のもののうちの1つまたは複数を備え得る。本明細書および他のところに記載されているような方法、プログラム、またはコードは、サーバによって実行され得る。また、本出願に記載されているような方法の実行のために必要とされる他の装置が、サーバと関連付けられたインフラの一部として検討されてもよい。
【０１０７】
サーバは、限定なく、クライアント、他のサーバ、プリンタ、データベースサーバ、プリントサーバ、ファイルサーバ、通信サーバ、分散サーバ、および同様のものを含む他の装置にインターフェースを提供できる。また、この連結および/または接続は、ネットワークにわたる命令の遠隔の実行を容易にすることができる。これらの装置の一部または全部のネットワーキングは、本開示の範囲から逸脱することなく、1つまたは複数の場所において、プログラムコード、命令、および/またはプログラムの並列処理を容易にすることができる。また、インターフェースを通じてサーバに取り付けられる装置はすべて、方法、プログラムコード、命令、および/またはプログラムを保存することができる少なくとも1つの保存媒体を備え得る。セントラルリポジトリが、異なる装置において実行されるプログラム命令を提供できる。この実施では、リモートリポジトリが、方法、プログラムコード、命令、および/またはプログラムのための保存媒体として作用できる。
【０１０８】
方法、プログラムコード、命令、および/またはプログラムは、ファイルクライアント、プリントクライアント、ドメインクライアント、インターネットクライアント、イントラネットクライアント、ならびに、セカンダリクライアント、ホストクライアント、分散クライアント、および同様のものなどの他の変形を含み得るクライアントと関連付けられ得る。クライアントは、メモリ、プロセッサ、コンピュータ読み取り可能な一時的および/または非一時的な媒体、保存媒体、ポート(物理的および仮想的)、通信装置、有線または無線の媒体を通じた他のクライアント、サーバ、機械、および装置へのアクセスが可能なインターフェース、ならびに同様のもののうちの1つまたは複数を備え得る。本明細書および他のところに記載されているような方法、プログラムコード、命令、および/またはプログラムは、クライアントによって実行され得る。また、本出願に記載されているような方法の実行のために利用される他の装置が、クライアントと関連付けられたインフラの一部として検討されてもよい。
【０１０９】
クライアントは、限定なく、サーバ、他のクライアント、プリンタ、データベースサーバ、プリントサーバ、ファイルサーバ、通信サーバ、分散サーバ、および同様のものを含む他の装置にインターフェースを提供できる。また、この連結および/または接続は、ネットワークにわたる方法、プログラムコード、命令、および/またはプログラムの遠隔の実行を容易にすることができる。これらの装置の一部または全部のネットワーキングは、本開示の範囲から逸脱することなく、1つまたは複数の場所において、方法、プログラムコード、命令、および/またはプログラムの並列処理を容易にすることができる。また、インターフェースを通じてクライアントに取り付けられる装置はすべて、方法、プログラムコード、命令、および/またはプログラムを保存することができる少なくとも1つの保存媒体を備え得る。セントラルリポジトリが、異なる装置において実行されるプログラム命令を提供できる。この実施では、リモートリポジトリが、方法、プログラムコード、命令、および/またはプログラムのための保存媒体として作用できる。
【０１１０】
本明細書に記載されている方法およびシステムは、ネットワークインフラを通じて、一部または全部において展開され得る。ネットワークインフラは、計算装置、サーバ、ルータ、ハブ、ファイヤーウォール、クライアント、パーソナルコンピュータ、通信装置、ルーティング装置、他の能動的な装置および受動的な装置、モジュール、ならびに/または技術的に知られているコンポーネントなどの要素を備え得る。ネットワークインフラと関連付けられた計算装置および/または非計算装置は、他のコンポーネントは別として、フラッシュメモリ、バッファ、スタック、RAM、ROM、および同様のものなどの保存装置を備え得る。本明細書および他のところに記載されているような方法、プログラムコード、命令、および/またはプログラムは、ネットワークインフラ要素のうちの1つまたは複数によって実行され得る。
【０１１１】
本明細書および他のところに記載されているような方法、プログラムコード、命令、および/またはプログラムは、複数のセルを有するセルラーネットワークにおいて実施され得る。セルラーネットワークは、周波数分割多元接続(FDMA)ネットワークまたは符号分割多元接続(CDMA)ネットワークのいずれかであり得る。セルラーネットワークは、携帯装置、セルサイト、基地局、リピータ、アンテナ、タワー、および同様のものを備え得る。
【０１１２】
本明細書および他のところに記載されているような方法、プログラムコード、命令、および/またはプログラムは、携帯装置において、または、携帯装置を通じて実施され得る。携帯装置は、ナビゲーション装置、携帯電話、モバイルフォン、携帯パーソナル情報端末、ラップトップ、パームトップ、ネットブック、ポケットベル、電子ブックリーダ、音楽プレーヤ、および同様のものを含み得る。これらの携帯装置は、他のコンポーネントは別として、フラッシュメモリ、バッファ、RAM、ROM、および1つまたは複数の計算装置などの保存媒体を備え得る。携帯装置と関連付けられた計算装置は、それに保存された方法、プログラムコード、命令、および/またはプログラムを実行することが可能とされ得る。代替で、携帯装置は、他の装置と協働して命令を実行するように構成されてもよい。携帯装置は、サーバとインターフェースで接続された基地局と通信でき、方法、プログラムコード、命令、および/またはプログラムを実行するように構成され得る。携帯装置は、ピアツーピアネットワーク、メッシュネットワーク、または他の通信ネットワークにおいて通信できる。方法、プログラムコード、命令、および/またはプログラムは、サーバと関連付けられた保存媒体において保存でき、サーバ内に埋め込まれた計算装置によって実行され得る。基地局は計算装置と保存媒体とを備え得る。保存装置は、基地局と関連付けられた計算装置によって実行される方法、プログラムコード、命令、および/またはプログラムを保存できる。
【０１１３】
方法、プログラムコード、命令、および/またはプログラムは、ある時間の間隔を計算するために使用されるデジタルデータを保持するコンピュータコンポーネント、装置、および記録媒体と、ランダムアクセスメモリ(RAM)として知られている半導体記憶装置と、光学ディスク、ハードディスクなどの磁気記憶装置の形態、テープ、ドラム、カード、および他の種類など、より永久的な記憶装置について典型的な大容量記憶装置と、プロセッサレジスタ、キャッシュメモリ、揮発性メモリ、不揮発性メモリと、CD、DVDなどの光学式記憶装置と、フラッシュメモリ(例えば、USBスティックまたはキー)、フロッピーディスク、磁気テープ、紙テープ、パンチカード、スタンドアロンRAMディスク、ZIP駆動装置、取り外し可能な大容量記憶装置、オフライン、および同様のものなどの取り外し可能媒体と、ダイナミックメモリ、スタティックメモリ、読取/書込記憶装置、ミュータブル記憶装置、読み取りのみ、ランダムアクセス、シーケンシャルアクセス、場所アドレス可能、ファイルアドレス可能、コンテンツアドレス可能、ネットワーク取り付けされた記憶装置、記憶領域ネットワーク、バーコード、磁気インク、および同様のものなどの他のコンピュータメモリとを含み得る機械読み取り可能な一時的および/または非一時的な媒体において保存および/またはアクセスされ得る。
【０１１４】
本明細書に記載されている特定の動作は、1つまたは複数の値、パラメータ、入力、データ、または他の情報を解釈、受信、および/または決定することを含む。任意の値パラメータ、入力、データ、および/または他の情報を解釈、受信、および/または決定すること含む動作は、限定なく、使用者入力を介してデータを受信すること、任意の種類のネットワークを通じてデータを受信すること、受信装置と通信している記憶場所からデータ値を読み取ること、受信されたデータ値としてデフォルト値を利用すること、受信装置に利用可能な他の情報に基づいてデータ値を推定、計算、もしくは導出すること、および/または、これらのいずれかを後で受信されたデータ値に応答して更新することを含む。特定の実施形態では、データ値は、第1の動作によって受信され、後でデータ値を受信することの一部として、第2の動作によって更新され得る。例えば、通信がダウン、一時中断、または遮断されたとき、データ値を解釈、受信、および/または決定するための第1の動作が実施でき、通信が復旧されたとき、データ値を解釈、受信、および/または決定するための更新の動作が実施され得る。
【０１１５】
例えば現在の開示の方法または手順といった、本明細書における動作の特定の論理的なグループ分けが、本開示の態様を示すために提供される。本明細書に記載した動作は概略的に記載および/または描写されており、動作は、本明細書における開示と矛盾しない手法で、組み合わせ、分割、再順序付け、追加、または除去され得る。動作の記載の文脈が1つもしくは複数の動作についての順序付けを要求してもよく、かつ/または、1つもしくは複数の動作についての順番が明示的に開示され得るが、動作の順番は幅広く理解されるべきであり、動作の等価の結果を提供する動作の任意の等価のグループ分けが本明細書において明確に検討されていることは、理解されている。例えば、値がある動作のステップで使用されている場合、値を決定することは、特定の文脈において(例えば、特定の効果を達成するための動作についてのデータの時間遅れが重要であるとき)、その動作のステップの前に必要とされ得るが、他の文脈においては(例えば、動作の先の実行サイクルからの値の使用がその目的にとって十分であるとき)、その動作のステップの前に必要とされない可能性がある。したがって、特定の実施形態では、記載されている動作の順番および動作のグループ分けが本明細書において明示的に検討されており、特定の実施形態では、動作の再順序付け、再分割、および/または異なるグループ分けが本明細書において明示的に検討されている。
【０１１６】
本明細書に記載されている方法およびシステムは、物理的および/または無形の事柄を、ある状態から別の状態へと変換することができる。本明細書に記載されている方法およびシステムは、物理的および/または無形の事柄を表すデータを、ある状態から別の状態へと変換することもできる。
【０１１７】
本明細書において記載および描写されている要素は、流れ図、ブロック図、および/または動作の記載を含め、図示の目的のための要素の特定の例の配置を描写および/または記載している。しかしながら、描写および/または記載した要素は、その機能、および/またはこれらの構成は、保存されているプログラム命令を実行できるプロセッサを有するコンピュータで実行可能な一時的および/または非一時的な媒体を通じてなど、および/または、論理回路もしくはハードウェア構成として、機械において実施され得る。プログラミング命令の例の構成は、命令の一体構造、要素またはその一部分についての命令のスタンドアロンモジュール、および/または、外部ルーチン、コード、サービスなどを用いる命令のモジュールとして、および/または、これらの任意の組み合わせを少なくとも含み、すべてのこのような実施は本開示の実施形態の範囲内にとなるように検討されている。このような機械の例は、限定なく、パーソナル情報端末、ラップトップ、パーソナルコンピュータ、モバイルフォン、他の手持ち式計算装置、医療機器、有線または無線の通信装置、変換器、チップ、計算機、人工衛星、タブレットPC、電子ブック、ガジェット、電子装置、人工知能を有する装置、計算装置、ネットワーキング機器、サーバ、ルータ、および同様のものを含む。さらに、本明細書において記載および/もしくは描写した要素、ならびに/または、任意の他の論理構成要素は、プログラム命令を実行することができる機械において実施され得る。したがって、前述した流れ図、ブロック図、および/または動作の記載は、開示したシステムの機能的な態様を説明しているが、これらの機能的な態様を実施するプログラム命令の任意の構成が、本明細書において検討されている。同様に、先に特定および記載されている様々なステップが変化させられてもよいことと、ステップの順番が、本明細書で開示されている技法の特定の用途に適合され得ることとは、認識されるものである。また、任意のステップまたは動作が、記載されている動作と同様の機能性を提供する任意の手法で分割および/または組み合わせされ得る。すべてのこのような変形および変更は本開示において検討されている。先に記載した方法および/または処理とそのステップとは、ハードウェア、プログラムコード、命令、および/もしくはプログラム、または、特定の用途に向けて適切なハードウェアおよび方法、プログラムコード、命令、および/もしくはプログラムの任意の組み合わせで実施され得る。例のハードウェアは、専用計算装置もしくは特定計算装置、特定計算装置の特定の態様または構成要素、ならびに/または、方法および/もしくはシステムの動作のうちの1つもしくは複数を実施するためのハードウェア構成要素および/もしくは論理回路の構成を含む。処理は、内部および/または外部のメモリと共に、1つまたは複数のマイクロプロセッサ、マイクロコントローラ、埋め込みマイクロコントローラ、プログラム可能デジタル信号プロセッサ、または他のプログラム可能な装置で実施され得る。処理は、同じくまたは代わりに、特定用途向け集積回路、プログラム可能ゲートアレイ、プログラム可能アレイロジック、または、電子信号を処理するように構成され���る装置の任意の他の装置もしくは組み合わせで具現化されてもよい。処理のうちの1つまたは複数は、機械読み取り可能な媒体において実行させることができるコンピュータ実行可能コードとして実現されてもよいことはさらに認識されるものである。
【０１１８】
コンピュータ実行可能コードは、前述の装置のうちの1つに加えて、プロセッサ、プロセッサアーキテクチャ、もしくは、異なるハードウェアおよびコンピュータ読み取り可能命令の組み合わせの異種の組み合わせ、または、プログラム命令を実行することができる任意の他の機械において実行するように保存、コンパイル、または解釈され得るCなどの構造化プログラミング言語、C++などのオブジェクト指向プログラミング言語、または任意の他の高水準もしくは低水準のプログラミング言語(アセンブリ言語、ハードウェア記述言語、ならびにデータベースプログラミング言語および技術を含む)を用いて作り出され得る。
【０１１９】
したがって、一態様において、先に記載されている各々の方法と、それらの組み合わせとは、1つまたは複数の計算装置において実行するとき、そのステップを実施するコンピュータ実行可能コードで具現化され得る。別の態様では、方法は、そのステップを実施するシステムにおいて具現化でき、いくつかの方法で装置にわたって分散され得るか、または、機能性のすべてが専用のスタンドアロン装置または他のハードウェアへと組み込まれ得る。別の態様では、先に記載した処理と関連付けられるステップを実施するための手段は、先に記載されているハードウェアおよび/またはコンピュータ読み取り可能命令のいずれかを含み得る。すべてのこのような変形および組み合わせは、本開示における実施形態において検討されている。
【符号の説明】
【０１２０】
100  自転車用ヘルメット
110  使用者
120  自転車
130  ハニカム母体
140  保管、潰れた、折り畳み、または同様のものの状態
142  拡張、使用可能、開いた、または同様のものの状態
150  頭部
152  外表面
154  輪郭
160  セル構造、構造的なセル
170  自転車乗車シェアシステム
172  使用者プロフィール
180  接続された装置
200  顎紐組立体
202  第1の側の紐
204  第1の外れ止め部
208  第2の側の紐
210  第2の外れ止め部
220  顎
230  薄い柔軟なヘルメット材料
240  上方顎紐
242  下方顎紐
250、252  上方顎紐部分
254  留め金
270  区分
272  隙間
280  中間区分
282、284  側方区分
290、292  外面
294、298  付着位置
310  紐
320  ハニカムブロック
330  外湾曲
332  内湾曲
334  外表面
338  内表面
350  パネル
360、362、364  紐
370  凹部
400  追跡、使用、および在庫の特徴
410  カメラ
420  自転車シェアリングデポ
422  ヘルメット自動販売機
424  ヘルメット自動販売施設
450  ヘルメット分配システム
460  ヘルメット在庫
470  ヘルメット受入部
480  ヘルメット検出システム
482  追跡装置
492  自転車道路
500  セル160の形
502、504、508  セル
520  壁
522  壁
524  連結領域
530  平行な並び
600  自転車用ヘルメット
602、604、608  区分
610  衝撃吸収材料
630  拡張状態
640  部分的な折り畳み状態
700  自転車用ヘルメット
702  領域
710  区分
720  宣伝、図形、文字、または同様のもの
730  外表面
732  外湾曲
740  商標
800  自転車用ヘルメット
802  光機構
804  光
810、812、814  安全ライト
【図１】
2019526722.tif 000003
【図２】
2019526722.tif 000004
【図３】
2019526722.tif 000005
【図４】
2019526722.tif 000006
【図５】
2019526722.tif 000007
【図６】
2019526722.tif 000008
【図７】
2019526722.tif 000009
【図８】
2019526722.tif 000010
【図９】
2019526722.tif 000011
【図１０】
2019526722.tif 000012
【図１１】
2019526722.tif 000013
【図１２】
2019526722.tif 000014
【図１３】
2019526722.tif 000015
【図１４】
2019526722.tif 000016
【図１５】
2019526722.tif 000017
【図１６】
2019526722.tif 000018
【図１７】
2019526722.tif 000019
【図１８】
2019526722.tif 000020
【図１９】
2019526722.tif 000021
【図２０】
2019526722.tif 000022
【図２１】
2019526722.tif 000023
【図２２】
2019526722.tif 000024
【図２３】
2019526722.tif 000025
【図２４】
2019526722.tif 000026
【図２５】
2019526722.tif 000027
【図２６】
2019526722.tif 000028
【図２７】
2019526722.tif 000029
【図２８】
2019526722.tif 000030
【図２９】
2019526722.tif 000031
【図３０】
2019526722.tif 000032
【図３１】
2019526722.tif 000033
【図３２】
2019526722.tif 000034
【図３３】
2019526722.tif 000035
【図３４】
2019526722.tif 000036
【図３５】
2019526722.tif 000037
【図３６】
2019526722.tif 000038
【図３７】
2019526722.tif 000039
【図３８】
2019526722.tif 000040
【図３９】
2019526722.tif 000041
【図４０】
2019526722.tif 000042
【図４１】
2019526722.tif 000043
【図４２】
2019526722.tif 000044
【図４３】
2019526722.tif 000045
【図４４】
2019526722.tif 000046
【図４５】
2019526722.tif 000047
【図４６】
2019526722.tif 000048
【図４７】
2019526722.tif 000049
【図４８】
2019526722.tif 000050
【図４９】
2019526722.tif 000051
【図５０】
2019526722.tif 000052
【図５１】
2019526722.tif 000053
【図５２】
2019526722.tif 000054
【図５３】
2019526722.tif 000055
【図５４】
2019526722.tif 000056
【図５５】
2019526722.tif 000057
【図５６】
2019526722.tif 000058
【国際調査報告】
2019526722.tif 000059
2019526722.tif 000060